(57)【要約】      （修正有）【課題】視聴するコンテンツを選択する際に、現在視聴中のコンテンツがどれであるかを理解しながら選ぶことができるインターフェイスを提供する。【解決手段】コンテンツを視聴するコンテンツ視聴装置においてコンテンツ情報を取得するコンテンツ情報取得部と、前記コンテンツ情報取得部において取得した前記コンテンツ情報に基づいて、前記コンテンツカテゴリ毎にコンテンツ表示部にコンテンツリストを表示する制御を行うコンテンツ情報表示制御部と、を有するコンテンツ視聴装置において、前記コンテンツ情報表示制御部は、前記コンテンツリストの表示の指示を受けると、現在視聴中のコンテンツに視覚的に認識可能な形態で現在視聴中コンテンツである旨の現在視聴中コンテンツ表示を行い、また、カテゴリ切換操作(例えば、放送番組表からネットコンテンツ等への切り換え)に対応したコンテンツリストを表示する。【選択図】図１８
2011035852.tif 000002
【特許請求の範囲】
【請求項１】
コンテンツを視聴するコンテンツ視聴装置においてコンテンツ情報を取得するコンテンツ情報取得部と、前記コンテンツ情報取得部において取得した前記コンテンツ情報に基づいて、前記コンテンツカテゴリ毎にコンテンツ表示部にコンテンツリストを表示する制御を行うコンテンツ情報表示制御部と、を有するコンテンツ視聴装置において、
コンテンツ情報表示制御部は、前記コンテンツリストの表示の指示を受けると、現在視聴中のコンテンツに視覚的に認識可能な形態で現在視聴中コンテンツである旨の現在視聴中コンテンツ表示をするとともに、コンテンツリストを１ページ内に表示しきれない場合において、複数のページに分けて表示することを特徴とするコンテンツ視聴装置。
【請求項２】
コンテンツを視聴するコンテンツ視聴装置において視聴可能なコンテンツの種別であるコンテンツカテゴリ毎にコンテンツ情報を取得するカテゴリ別のコンテンツ情報取得部と、前記カテゴリ別のコンテンツ情報取得部において取得した前記コンテンツカテゴリ毎のコンテンツ情報に基づいて、前記コンテンツカテゴリ毎にコンテンツ表示部にコンテンツリストを表示する制御を行うコンテンツ情報表示制御部と、を有するコンテンツ視聴装置において、
前記コンテンツ情報表示制御部は、前記コンテンツリストの表示の指示を受けると、現在視聴中のコンテンツに視覚的に認識可能な形態で現在視聴中コンテンツである旨の現在視聴中コンテンツ表示をするとともに、同一コンテンツカテゴリのコンテンツリストを１ページ内に表示しきれない場合において、複数のページに分けて表示することを特徴とするコンテンツ視聴装置。
【請求項３】
前記コンテンツ情報表示制御部は、前記複数ページ間において前記現在視聴中コンテンツ表示を行うページ構成を維持させることを特徴とする請求項１又は２に記載のコンテンツ視聴装置。
【請求項４】
前記コンテンツ情報表示制御部は、前記表示部の視聴領域をスケーリングすることで形成された空き領域に前記コンテンツリストを表示させ、全画面表示との間で切り替え可能であり、前記現在視聴中コンテンツ表示を前記全画面表示への切り替え時にカーソル位置にあるコンテンツに更新することを特徴とする請求項１から３までのいずれか１項に記載のコンテンツ視聴装置。
【請求項５】
コンテンツを視聴するコンテンツ視聴装置において視聴可能なコンテンツの種別であるコンテンツカテゴリ毎にコンテンツ情報を取得するカテゴリ別のコンテンツ情報取得部と、前記カテゴリ別のコンテンツ情報取得部において取得した前記コンテンツカテゴリ毎のコンテンツ情報に基づいて、前記コンテンツカテゴリ毎にコンテンツ表示部にコンテンツリストを表示する制御を行うコンテンツ情報表示制御部と、を有するコンテンツ視聴装置において、
コンテンツ情報表示制御部は、コンテンツカテゴリ別にリスト表示を行うためのコンテンツカテゴリボタンと、前記コンテンツカテゴリボタンに対応付けされたコンテンツカテゴリの前記コンテンツリストの表示と、を行い、現在視聴中のコンテンツに対応するカテゴリの前記コンテンツカテゴリボタンに、視覚的に認識可能な形態で現在視聴中コンテンツのカテゴリである旨の現在視聴中コンテンツカテゴリ表示をすることを特徴とするコンテンツ視聴装置。
【請求項６】
前記コンテンツ情報表示制御部は、前記コンテンツリストにおいて、現在視聴中のコンテンツに視覚的に認識可能な形態で現在視聴中コンテンツである旨の現在視聴中コンテンツ表示をすることを特徴とする請求項５に記載のコンテンツ視聴装置。
【請求項７】
前記複数カテゴリ間で、前記現在視聴中コンテンツカテゴリ表示を維持させることを特徴とする請求項５又は６に記載のコンテンツ視聴装置。
【請求項８】
前記コンテンツ情報表示制御部は、前記表示部の視聴領域をスケーリングすることで形成された空き領域に前記コンテンツリストを表示させ、全画面表示との間で切り替え可能であり、前記現在視聴中コンテンツカテゴリ表示を前記全画面表示への切り替え時にカーソル位置にあるコンテンツに更新することを特徴とする請求項５から７までのいずれか１項に記載のコンテンツ視聴装置。
【請求項９】
前記コンテンツカテゴリは、コンテンツを取得するソースであるコンテンツソースにより区別されていることを特徴とする請求項５から８までのいずれか１項に記載のコンテンツ視聴装置。
【請求項１０】
前記コンテンツ群は、光ディスク媒体、放送、外部機器の入力切り替えを含むことを特徴とする請求項５から９までのいずれか１項に記載のコンテンツ視聴装置。
【請求項１１】
前記コンテンツ情報取得部は、前記コンテンツ視聴装置から取得したコンテンツ群のそれぞれのコンテンツの取得元の情報を含むコンテンツ情報を取得するコンテンツ情報取得部と、インターネット経由で取得したネットコンテンツのネットコンテンツサーバのＵＲＬを含むネットコンテンツ情報を取得するネットコンテンツ情報取得部と、を備え、
前記コンテンツ情報表示制御部は、前記コンテンツ情報取得部が取得した前記それぞれのコンテンツ情報に基づくそれぞれのコンテンツリストと前記ネットコンテンツ情報取得部が取得した前記ネットコンテンツ情報に基づくネットコンテンツリストとを、統合して１つのメニューに表示させる制御を行うことを特徴とする請求項２から１０までのいずれか１項に記載のコンテンツ視聴装置。
【請求項１２】
前記コンテンツを視聴するコンテンツ視聴装置においてコンテンツ情報を取得するコンテンツ情報取得部と、前記コンテンツ情報取得部において取得した前記コンテンツ情報に基づいて、前記コンテンツカテゴリ毎にコンテンツ表示部にコンテンツリストを表示する制御を行うコンテンツ情報表示制御部と、を有するコンテンツ視聴装置において、
コンテンツ情報表示制御部は、前記コンテンツリストの表示の指示を受けると、現在視聴中のコンテンツに視覚的に認識可能な形態で現在視聴中コンテンツである旨の現在視聴中コンテンツ表示を行い、前記コンテンツリスト中から選択されたコンテンツの詳細情報表示ページに遷移して戻ると、前記現在視聴中コンテンツ表示を行うページ構成を維持されるように制御を行うことを特徴とするコンテンツ視聴装置。
【請求項１３】
前記コンテンツを視聴するコンテンツ視聴装置においてコンテンツ情報を取得するコンテンツ情報取得部と、前記コンテンツ情報取得部において取得した前記コンテンツ情報に基づいて、前記コンテンツカテゴリ毎にコンテンツ表示部にコンテンツリストを表示する制御を行うコンテンツ情報表示制御部と、を有するコンテンツ視聴装置において、
コンテンツ情報表示制御部は、前記コンテンツリストの表示の指示を受けると、現在視聴中のコンテンツに視覚的に認識可能な形態で現在視聴中コンテンツである旨の現在視聴中コンテンツ表示を行い、カテゴリ間の移動する際において、現在視聴中のコンテンツのカテゴリに遷移する時は、現在視聴中のコンテンツを含むページを表示するように制御することを特徴とするコンテンツ視聴装置。
【請求項１４】
コンテンツを視聴するコンテンツ視聴装置においてコンテンツ情報を取得するコンテンツ情報取得部と、前記コンテンツ情報取得部において取得した前記コンテンツ情報に基づいて、前記コンテンツカテゴリ毎にコンテンツ表示部にコンテンツリストを表示する制御を行うコンテンツ情報表示制御部と、を有するコンテンツ視聴装置において、
前記コンテンツ情報表示制御部は、前記コンテンツリストの表示の指示を受けると、現在視聴中のコンテンツに視覚的に認識可能な形態で現在視聴中コンテンツである旨の現在視聴中コンテンツ表示を行い、現在視聴中のカテゴリ以外のカテゴリのリスト表示画面から、視聴中カテゴリの視聴中コンテンツのリスト表示を含まないコンテンツリスト表示画面には遷移しないように制御することを特徴とするコンテンツ視聴装置。
【請求項１５】
コンテンツを視聴するコンテンツ視聴装置においてコンテンツ情報を取得するコンテンツ情報取得部と、前記コンテンツ情報取得部において取得した前記コンテンツ情報に基づいて、前記コンテンツカテゴリ毎にコンテンツ表示部にコンテンツリストを表示する制御を行うコンテンツ情報表示制御部と、を有するコンテンツ視聴装置において、
前記コンテンツ情報表示制御部は、前記コンテンツリストの表示の指示を受けると、現在視聴中のコンテンツに視覚的に認識可能な形態で現在視聴中コンテンツである旨の現在視聴中コンテンツ表示を行い、カテゴリ間の移動する際において、現在視聴中のコンテンツのカテゴリに遷移する時は、現在視聴中のコンテンツを含むページを表示する制御することを特徴とするコンテンツ視聴装置。
【請求項１６】
コンテンツを視聴するコンテンツ視聴装置においてコンテンツ情報を取得するコンテンツ情報取得部と、前記コンテンツ情報取得部において取得した前記コンテンツ情報に基づいて、前記コンテンツカテゴリ毎にコンテンツ表示部にコンテンツリストを表示する制御を行うコンテンツ情報表示制御部と、を有するコンテンツ視聴装置において、
前記コンテンツ情報表示制御部は、前記コンテンツリストの表示の指示を受けると、現在視聴中のコンテンツに視覚的に認識可能な形態で現在視聴中コンテンツである旨の現在視聴中コンテンツ表示を行い、前記コンテンツリスト中から選択されたコンテンツの詳細情報表示ページに遷移して戻ると、遷移元のコンテンツリスト表示画面に戻る制御を行うことを特徴とするコンテンツ視聴装置。
【請求項１７】
コンテンツを視聴するコンテンツ視聴装置においてコンテンツ情報を取得するコンテンツ情報取得ステップと、前記コンテンツ情報取得ステップにおいて取得した前記コンテンツ情報に基づいて、前記コンテンツカテゴリ毎にコンテンツ表示部にコンテンツリストを表示する制御を行うコンテンツ情報表示制御ステップと、を有するコンテンツリスト表示方法において、
前記コンテンツ情報表示制御ステップは、前記コンテンツリストの表示の指示を受けると、現在視聴中のコンテンツに視覚的に認識可能な形態で現在視聴中コンテンツである旨の現在視聴中コンテンツ表示をするとともに、コンテンツリストを１ページ内に表示しきれない場合において、複数のページに分けて表示するステップを有することを特徴とするコンテンツリスト表示方法。
【請求項１８】
コンテンツを視聴するコンテンツ視聴装置において視聴可能なコンテンツの種別であるコンテンツカテゴリ毎にコンテンツ情報を取得するコンテンツ情報取得ステップと、前記コンテンツ情報取得ステップにおいて取得した前記コンテンツカテゴリ毎のコンテンツ情報に基づいて、前記コンテンツカテゴリ毎にコンテンツ表示部にコンテンツリストを表示する制御を行うコンテンツ情報表示制御ステップと、を有するコンテンツリスト表示方法において、
前記コンテンツ情報表示制御ステップは、前記コンテンツリストにおいて、現在視聴中のコンテンツに視覚的に認識可能な形態で現在視聴中コンテンツである旨の現在視聴中コンテンツ表示をするとともに、同一コンテンツカテゴリのコンテンツリストを１ページ内に表示しきれない場合において、複数のページに分けて表示するステップを有することを特徴とするコンテンツリスト表示方法。
【請求項１９】
コンテンツを視聴するコンテンツ視聴装置において視聴可能なコンテンツの種別であるコンテンツカテゴリ毎にコンテンツ情報を取得するコンテンツ情報取得ステップと、前記コンテンツ情報取得ステップにおいて取得した前記コンテンツカテゴリ毎のコンテンツ情報に基づいて、前記コンテンツカテゴリ毎にコンテンツ表示部にコンテンツリストを表示する制御を行うコンテンツ情報表示制御ステップと、を有するコンテンツリスト表示方法において、
コンテンツ情報表示制御ステップは、コンテンツカテゴリ別にリスト表示を行うためのコンテンツカテゴリボタンと、前記コンテンツカテゴリボタンに対応付けされたコンテンツカテゴリの前記コンテンツリストの表示と、を行うとともに、現在視聴中のコンテンツに対応するカテゴリの前記コンテンツカテゴリボタンに、視覚的に認識可能な形態で現在視聴中コンテンツのカテゴリである旨の現在視聴中コンテンツカテゴリ表示をする制御を行うステップを有することを特徴とするコンテンツリスト表示方法。
【請求項２０】
コンテンツを視聴するコンテンツ視聴装置においてコンテンツ情報を取得するコンテンツ情報取得ステップと、前記コンテンツ情報取得ステップにおいて取得した前記コンテンツ情報に基づいて、前記コンテンツカテゴリ毎にコンテンツ表示部にコンテンツリストを表示する制御を行うコンテンツ情報表示制御ステップと、を有するコンテンツリスト表示方法において、
前記コンテンツ情報表示制御ステップは、前記コンテンツリストの表示の指示を受けると、現在視聴中のコンテンツに視覚的に認識可能な形態で現在視聴中コンテンツである旨の現在視聴中コンテンツ表示を行い、現在視聴中のカテゴリ以外のカテゴリのリスト表示画面から、視聴中カテゴリの視聴中コンテンツのリスト表示を含まないコンテンツリスト表示画面には遷移しないように制御することを特徴とするコンテンツリスト表示方法。
【請求項２１】
請求項１７から２０までのいずれか１項に記載のコンテンツリスト表示方法をコンピュータに実行させるためのプログラム。
【請求項２２】
請求項２１に記載のプログラムを記録したコンピュータ読みとり可能な記録媒体。
【発明の詳細な説明】
【技術分野】
【０００１】
本発明は、コンテンツ視聴装置及びコンテンツ表示装置に関し、特に、様々な種類のコンテンツソースから取得したコンテンツに関するコンテンツを管理し、見やすく表示する表示制御技術に関する。
【背景技術】
【０００２】
近年、視聴可能なコンテンツは、地上波放送、衛星放送、ケーブルテレビ放送など多岐に亘ってきている。代表的なコンテンツ視聴装置としては、デジタル放送受信装置（デジタルテレビジョン受信装置、記録再生装置など）が挙げられる。例えば、デジタルテレビジョン受信装置は、地上波放送、衛星放送、ケーブルテレビ放送などを視聴可能であり、また、記録再生装置に多くの外部機器が接続可能となり、入力切り替えにより視聴が可能になると、様々な記録メディアに一旦記録されているコンテンツを視聴することも可能になる。
【０００３】
下記特許文献１に記載の技術では、放送又は情報に割り当てられたチャネルをユーザが選択することにより、その選択されたチャネルに対応する放送または情報を受信しユーザに提示する受信装置において、分類されたチャネルをチャネルセットとして管理し、チャネルセット内のチャネルを管理するための管理データを記憶しておき、この管理データに基づいて、チャネルセットを切り替えて管理することにより、放送チャネルに加え、インターネットなどのネットコンテンツのチャネルも、チャネルセットという単位にまとめて扱うことにより、チャネル数が増えた場合でも全てのチャネルを区分けせずに同列に扱うことができるようになっている。
【０００４】
また、下記特許文献２は、番組を再生することができる装置において、リモコン装置などによりチャンネルを頻繁に切り替えながら視聴するザッピング処理が開始されたことを検知し、ザッピングが開始されたチャンネルのボタンに対してマークが付されたメニュー画面に表示することを開示している。この表示技術を用いると、ザッピングが開始されたチャンネルがわかりやすくなるため、ザッピング時に問題となっていた、どのチャンネルからザッピングを開始したかわからなくなるという不具合が生じにくい。
【先行技術文献】
【特許文献】
【０００５】
【特許文献１】国際特許公開２００７／０４３４８３号公報
【特許文献２】特開２００７−１９６９５号公報
【発明の概要】
【発明が解決しようとする課題】
【０００６】
上記のように、多数のコンテンツソースからコンテンツを取得して視聴できるようになると、例えば現在視聴中のコンテンツが、どのコンテンツソースから得られているかを確認したり、他のコンテンツソースで取得可能なコンテンツを確認したりする必要性が増してくる。
【０００７】
しかしながら、上記特許文献１を含む従来の技術では、インターネットなどを含む多数のコンテンツソースからのコンテンツの視聴を含む種々のイベントに関して、統一的に操作することは難しかった。
【０００８】
また、上記特許文献２に記載の技術では、視聴している番組を切り替える「ザッピング」操作中の表示手法について説明されているが、視聴番組を変えるのではなく、番組表を切り変える場合に関する言及はされていない。すなわち、番組を視聴しながら、番組表を使用する場合などにおいて、ユーザは、現在視聴している番組がどの番組であるかを番組表からは知ることができないという問題がある。
【０００９】
本発明は、インターネットコンテンツを含む利用可能な多数のコンテンツソースからのコンテンツを統一的に操作するコンテンツ視聴装置において、視聴するコンテンツを選択する際に、現在視聴中のコンテンツがどれであるかを理解しながら選ぶことができる技術を提供することを目的とする。
【課題を解決するための手段】
【００１０】
本発明は、ユーザがコンテンツを視聴しながら、コンテンツメニューを使用した場合、現在視聴しているコンテンツにマークを表示する(カレントマーク)。更に、コンテンツメニュー画面でカテゴリ切換操作(放送番組表 → ネットコンテンツ等)をしても、現在視聴中のコンテンツを含むカテゴリメニューが表示される場合、現在視聴中のコンテンツを含むページが表示され、視聴中コンテンツにはカレントマークが表示されるものである。
【００１１】
本発明の一観点によれば、コンテンツを視聴するコンテンツ視聴装置においてコンテンツ情報を取得するコンテンツ情報取得部と、前記コンテンツ情報取得部において取得した前記コンテンツ情報に基づいて、前記コンテンツカテゴリ毎にコンテンツ表示部にコンテンツリストを表示する制御を行うコンテンツ情報表示制御部と、を有するコンテンツ視聴装置において、前記コンテンツ情報表示制御部は、前記コンテンツリストの表示の指示を受けると、現在視聴中のコンテンツに視覚的に認識可能な形態で現在視聴中コンテンツである旨の現在視聴中コンテンツ表示をするとともに、コンテンツリストを１ページ内に表示しきれない場合において、複数のページに分けて表示することを特徴とするコンテンツ視聴装置が提供される。
【００１２】
また、コンテンツを視聴するコンテンツ視聴装置において視聴可能なコンテンツの種別であるコンテンツカテゴリ毎にコンテンツ情報を取得するカテゴリ別のコンテンツ情報取得部と、前記カテゴリ別のコンテンツ情報取得部において取得した前記コンテンツカテゴリ毎のコンテンツ情報に基づいて、前記コンテンツカテゴリ毎にコンテンツ表示部にコンテンツリストを表示する制御を行うコンテンツ情報表示制御部と、を有するコンテンツ視聴装置において、コンテンツ情報表示制御部は、前記コンテンツリストの表示の指示を受けると、現在視聴中のコンテンツに視覚的に認識可能な形態で現在視聴中コンテンツである旨の現在視聴中コンテンツ表示をするとともに、同一コンテンツカテゴリのコンテンツリストを１ページ内に表示しきれない場合において、複数のページに分けて表示することを特徴とするコンテンツ視聴装置が提供される。
【００１３】
前記コンテンツ情報表示制御部は、前記複数ページ間において前記現在視聴中コンテンツ表示を行うページを維持させることが好ましい。すなわち、複数ページ間で、例えば２頁目のコンテンツを視聴中であれば、２頁目に視聴中コンテンツに対してのみ前記現在視聴中コンテンツ表示を行うようにする。また、コンテンツの詳細を表示する画面に切り替えて、またページを戻した場合にも、２頁目に視聴中コンテンツに対してのみ前記現在視聴中コンテンツ表示を行うようにする。各ページ構成も同じ構成にしておくと見やすくなる。１頁目と２頁目とが、同じコンテンツ数（例えば５）であれば、構成は類似しており見やすい。
【００１４】
また、前記コンテンツ情報表示制御部は、前記表示部の視聴領域をスケーリングすることで形成された空き領域に前記コンテンツリストを表示させ、全画面表示との間で切り替え可能であり、前記現在視聴中コンテンツ表示を前記全画面表示への切り替え時にカーソル位置にあるコンテンツに更新することを特徴とする。
【００１５】
尚、コンテンツリストには、コンテンツメタ情報、例えば、番組のチャンネルやネットのＵＲＬ、番組タイトル、放送時間帯などのコンテンツの属性情報を載せるのが好ましい。コンテンツリストは、コンテンツ毎の属性情報を集約したリストということもできる。
【００１６】
また、本発明は、コンテンツを視聴するコンテンツ視聴装置において視聴可能なコンテンツの種別であるコンテンツカテゴリ毎にコンテンツ情報を取得するコンテンツ情報取得部と、前記コンテンツ情報取得部において取得した前記コンテンツカテゴリ毎のコンテンツ情報に基づいて、前記コンテンツカテゴリ毎にコンテンツ表示部にコンテンツリストを表示する制御を行うコンテンツ情報表示制御部と、を有するコンテンツ視聴装置において、コンテンツ情報表示制御部は、コンテンツカテゴリ別にリスト表示を行うためのコンテンツカテゴリアイコンと、前記コンテンツカテゴリアイコンに対応付けされたコンテンツカテゴリの前記コンテンツリストの表示と、を行い、現在視聴中のコンテンツに対応するカテゴリの前記コンテンツカテゴリアイコンアイコンに、視覚的に認識可能な形態で現在視聴中コンテンツのカテゴリである旨の現在視聴中コンテンツカテゴリ表示をすることを特徴とするコンテンツ視聴装置である。前記メタ情報表示手段においてコンテンツの種類に応じて各カテゴリ遷移をタブを用いて実現することもできる。
【００１７】
また、前記コンテンツ情報表示制御部は、前記コンテンツリストにおいて、現在視聴中のコンテンツに視覚的に認識可能な形態で現在視聴中コンテンツである旨の現在視聴中コンテンツ表示をするようにしても良い。前記複数カテゴリ間で、前記現在視聴中コンテンツカテゴリ表示を維持させることが好ましい。
【００１８】
また、前記コンテンツ情報表示制御部は、前記表示部の視聴領域をスケーリングすることで形成された空き領域に前記コンテンツリストを表示させ、全画面表示との間で切り替え可能であり、前記現在視聴中コンテンツカテゴリ表示を前記全画面表示への切り替え時にカーソル位置にあるコンテンツに更新することが好ましい。
【００１９】
前記コンテンツカテゴリは、コンテンツを取得するソースであるコンテンツソースにより区別されていることが好ましい。前記コンテンツ群は、光ディスク媒体、放送、外部機器の入力切り替えを含むものである。
【００２０】
また、前記コンテンツ情報取得部は、前記コンテンツ視聴装置から取得したコンテンツ群のそれぞれのコンテンツの取得元の情報を含むコンテンツ情報を取得するコンテンツ情報取得部と、インターネット経由で取得したネットコンテンツのネットコンテンツサーバのＵＲＬを含むネットコンテンツ情報を取得するネットコンテンツ情報取得部と、を備え、前記コンテンツ情報表示制御部は、前記コンテンツ情報取得部が取得した前記それぞれのコンテンツ情報に基づくそれぞれのコンテンツリストと前記ネットコンテンツ情報取得部が取得した前記ネットコンテンツ情報に基づくネットコンテンツリストとを、統合して１つのメニューに表示させる制御を行うことが好ましい。
【００２１】
また、本発明は、コンテンツを視聴するコンテンツ視聴装置においてコンテンツ情報を取得するコンテンツ情報取得部と、前記コンテンツ情報取得部において取得した前記コンテンツ情報に基づいて、前記コンテンツカテゴリ毎にコンテンツ表示部にコンテンツリストを表示する制御を行うコンテンツ情報表示制御部と、を有するコンテンツ視聴装置において、コンテンツ情報表示制御部は、前記コンテンツリストの表示の指示を受けると、現在視聴中のコンテンツに視覚的に認識可能な形態で現在視聴中コンテンツである旨の現在視聴中コンテンツ表示を行い、前記コンテンツリスト中から選択されたコンテンツの詳細情報表示ページに遷移して戻ると、前記現在視聴中コンテンツ表示を行うページ構成を維持させることを特徴とするコンテンツ視聴装置である。すなわち、コンテンツリスト中であるコンテンツ情報項目を選択してその詳細などを表示させる別画面に遷移させた場合に、戻るアイコンなどで遷移する前の表示に戻る場合に、そのページ構成がコンテンツ視聴中表示の有無やコンテンツリストの構成を含めて維持されるようにするとわかりやすい。
【００２２】
また、本発明は、コンテンツを視聴するコンテンツ視聴装置においてコンテンツ情報を取得するコンテンツ情報取得部と、前記コンテンツ情報取得部において取得した前記コンテンツ情報に基づいて、前記コンテンツカテゴリ毎にコンテンツ表示部にコンテンツリストを表示する制御を行うコンテンツ情報表示制御部と、を有するコンテンツ視聴装置において、前記コンテンツ情報表示制御部は、前記コンテンツリストの表示の指示を受けると、現在視聴中のコンテンツに視覚的に認識可能な形態で現在視聴中コンテンツである旨の現在視聴中コンテンツ表示を行い、現在視聴中のカテゴリ以外のカテゴリのリスト表示画面から、視聴中カテゴリの視聴中コンテンツのリスト表示を含まないコンテンツリスト表示画面には遷移しないように制御することを特徴とするコンテンツ視聴装置である。
【００２３】
また、本発明は、コンテンツを視聴するコンテンツ視聴装置においてコンテンツ情報を取得するコンテンツ情報取得部と、前記コンテンツ情報取得部において取得した前記コンテンツ情報に基づいて、前記コンテンツカテゴリ毎にコンテンツ表示部にコンテンツリストを表示する制御を行うコンテンツ情報表示制御部と、を有するコンテンツ視聴装置において、前記コンテンツ情報表示制御部は、前記コンテンツリストの表示の指示を受けると、現在視聴中のコンテンツに視覚的に認識可能な形態で現在視聴中コンテンツである旨の現在視聴中コンテンツ表示を行い、カテゴリ間の移動をする際において、現在視聴中のコンテンツのカテゴリに遷移する時は、現在視聴中のコンテンツを含むページを表示する制御することを特徴とするコンテンツ視聴装置である。
【００２４】
また、本発明は、コンテンツを視聴するコンテンツ視聴装置においてコンテンツ情報を取得するコンテンツ情報取得部と、前記コンテンツ情報取得部において取得した前記コンテンツ情報に基づいて、前記コンテンツカテゴリ毎にコンテンツ表示部にコンテンツリストを表示する制御を行うコンテンツ情報表示制御部と、を有するコンテンツ視聴装置において、前記コンテンツ情報表示制御部は、前記コンテンツリストの表示の指示を受けると、現在視聴中のコンテンツに視覚的に認識可能な形態で現在視聴中コンテンツである旨の現在視聴中コンテンツ表示を行い、前記コンテンツリスト中から選択されたコンテンツの詳細情報表示ページに遷移して戻ると、遷移元のコンテンツリスト表示画面に戻る制御を行うことを特徴とするコンテンツ視聴装置である。
【００２５】
本発明の他の観点によれば、コンテンツを視聴するコンテンツ視聴装置においてコンテンツ情報を取得するコンテンツ情報取得ステップと、前記コンテンツ情報取得ステップにおいて取得した前記コンテンツ情報に基づいて、前記コンテンツカテゴリ毎にコンテンツ表示部にコンテンツリストを表示する制御を行うコンテンツ情報表示制御ステップと、を有するコンテンツリスト表示方法において、コンテンツ情報表示制御ステップは、前記コンテンツリストの表示の指示を受けると、現在視聴中のコンテンツに視覚的に認識可能な形態で現在視聴中コンテンツである旨の現在視聴中コンテンツ表示をするとともに、コンテンツリストを１ページ内に表示しきれない場合において、複数のページに分けて表示するステップを有することを特徴とするコンテンツリスト表示方法が提供される。
【００２６】
また、コンテンツを視聴するコンテンツ視聴装置において視聴可能なコンテンツの種別であるコンテンツカテゴリ毎にコンテンツ情報を取得するコンテンツ情報取得ステップと、前記コンテンツ情報取得ステップにおいて取得した前記コンテンツカテゴリ毎のコンテンツ情報に基づいて、前記コンテンツカテゴリ毎にコンテンツ表示部にコンテンツリストを表示する制御を行うコンテンツ情報表示制御ステップと、を有するコンテンツリスト表示方法において、前記コンテンツ情報表示制御ステップは、前記コンテンツリストにおいて、現在視聴中のコンテンツに視覚的に認識可能な形態で現在視聴中コンテンツである旨の現在視聴中コンテンツ表示をするとともに、同一コンテンツカテゴリのコンテンツリストを１ページ内に表示しきれない場合において、複数のページに分けて表示するステップを有することを特徴とするコンテンツリスト表示方法が提供される。
【００２７】
また、コンテンツを視聴するコンテンツ視聴装置において視聴可能なコンテンツの種別であるコンテンツカテゴリ毎にコンテンツ情報を取得するコンテンツ情報取得ステップと、前記コンテンツ情報取得ステップにおいて取得した前記コンテンツカテゴリ毎のコンテンツ情報に基づいて、前記コンテンツカテゴリ毎にコンテンツ表示部にコンテンツリストを表示する制御を行うコンテンツ情報表示制御ステップと、を有するコンテンツリスト表示方法において、コンテンツ情報表示制御ステップは、コンテンツカテゴリ別にリスト表示を行うためのコンテンツカテゴリアイコンと、前記コンテンツカテゴリアイコンに対応付けされたコンテンツカテゴリの前記コンテンツリストの表示と、を行うとともに、現在視聴中のコンテンツに対応するカテゴリの前記コンテンツカテゴリアイコンに、視覚的に認識可能な形態で現在視聴中コンテンツのカテゴリである旨の現在視聴中コンテンツカテゴリ表示をするステップを有することを特徴とするコンテンツリスト表示方法が提供される。
【００２８】
また、本発明は、コンテンツを視聴するコンテンツ視聴装置においてコンテンツ情報を取得するコンテンツ情報取得ステップと、前記コンテンツ情報取得ステップにおいて取得した前記コンテンツ情報に基づいて、前記コンテンツカテゴリ毎にコンテンツ表示部にコンテンツリストを表示する制御を行うコンテンツ情報表示制御ステップと、を有するコンテンツリスト表示方法において、前記コンテンツ情報表示制御ステップは、前記コンテンツリストの表示の指示を受けると、現在視聴中のコンテンツに視覚的に認識可能な形態で現在視聴中コンテンツである旨の現在視聴中コンテンツ表示を行い、現在視聴中のカテゴリ以外のカテゴリのリスト表示画面から、視聴中カテゴリの視聴中コンテンツのリスト表示を含まないコンテンツリスト表示画面には遷移しないように制御することを特徴とするコンテンツリスト表示方法である。上記装置の構成をステップに変更したそれぞれの方法発明も本願発明に含まれる。
【００２９】
本発明は、上記に記載のコンテンツリスト表示方法をコンピュータに実行させるためのプログラムであっても良く、該プログラムを記録するコンピュータ読みとり可能な記録媒体であっても良い。
【発明の効果】
【００３０】
本発明によれば、コンテンツ視聴（再生）装置において、再生できるコンテンツの種類は多岐に渡っている場合でも、視聴するコンテンツを、ページを遷移させながら選択する際に、現在視聴中のコンテンツの情報（メタ情報）をページ遷移をさせても違和感なく認識しながら選ぶことができ、コンテンツ視聴に関する快適な操作ができるという利点がある。
【図面の簡単な説明】
【００３１】
【図１】本発明の実施の形態によるコンテンツ視聴装置について、デジタルテレビジョン受信装置を例にして示した機能ブロック図である。
【図２】本発明の実施の形態によるコンテンツ視聴装置内で管理されるネットコンテンツリストのデータ構造例を示す図である。
【図３】ネットコンテンツリスト（プログラム）の一例を示す図であり、インターネットを介して外部サーバから取得したネットコンテンツリストの一例を示す図である。
【図４】図２に示したＪａｖａスクリプトの実際のプログラムの構成例を示す図であり、図２のスクリプト５７の記述例を示す図である。
【図５】コンテンツ視聴装置の表示部における表示内容を示す図である。
【図６】放送をコンテンツソースとして選択してコンテンツリストを一覧表示させた場合の一覧表示の画面表示例を示す図である。
【図７】インターネットを介して提供されるネットコンテンツをコンテンツソースとして選択してコンテンツリストを一覧表示させた場合の一覧表示の画面表示例を示す図である。
【図８】図８（ａ）は、入力切り替えにより外部機器のＢＤレコーダから提供されるコンテンツをコンテンツソースとして選択してコンテンツリストを一覧表示させた場合の一覧表示の画面表示例を示す図である。図８（ｂ）は、入力切り替えのボタン７１ｂを押した場合における、別のリスト表示例を示す図である。
【図９】図９（ａ）から（ｍ）までは、コーション表示の例を示す図であり、サイド領域のリスト表示領域に様々なコーション表示した図である。
【図１０】本実施の形態によるコンテンツ視聴装置のうちコンテンツリスト表示に関する機能ブロック図である。
【図１１】リモコン装置の外観構成例を示す図である。
【図１２】初期表示時のスクリプトの動作の流れを示すフローチャート図である。
【図１３】ソースカテゴリのリスト表示更新処理の流れを示すフローチャート図である。
【図１４】本実施の形態による更新をともなう表示処理の流れを示す図であり、図３に示すようなコンテンツの提供を行っているプロバイダ（コンテンツサーバ）の取得を含む処理の流れを示すフローチャート図である。
【図１５】本発明の第２の実施の形態によるコンテンツ視聴装置におけるリスト表示のメニューを示す図である。
【図１６】本実施の形態によるコンテンツ視聴装置における機能ブロック図であり、図１０に対応する図である。
【図１７】本実施の形態によるコンテンツ視聴装置における表示部のサイド領域２２ｄに表示されるコンテンツメニューであるコンテンツリスト表示をさせた場合の操作例を示す図である。
【図１８】本実施の形態によるコンテンツ視聴装置における状態遷移図である。
【図１９】カテゴリ切換操作の処理の流れを示すフローチャート図である。
【発明を実施するための形態】
【００３２】
以下、本発明の第１の実施の形態によるコンテンツ表示技術を含むコンテンツ視聴装置（以下、コンテンツ視聴装置と称する。）について、デジタルテレビジョン受信装置を例にして説明する。
【００３３】
図１は、本実施の形態によるコンテンツ視聴装置について、デジタルテレビジョン受信装置を例にして示した機能ブロック図である。図１に示すように、本実施の形態によるコンテンツ視聴装置（テレビ受像機）１０は、多くの種類のコンテンツソースからのコンテンツを取得することができるようになっている。すなわち、本実施の形態によるコンテンツ視聴装置は、例えば、アナログテレビ放送を受信するアナログ放送用アンテナ１１、デジタルテレビ放送を受信するデジタル放送用アンテナ１３、ハードディスク駆動装置（ＨＤＤ）、メモリ装置、ＢＤ（ブルーレイディスク）、ＤＶＤディスク、ＣＤなどの記録媒体を駆動し、格納されている外部機器３０が再生するコンテンツ、光媒体から直接取得するコンテンツ、電話回線、ＬＡＮ回線などを用いインターネット４１を介して外部サーバ４３などから取得するネットコンテンツなどを入力することができる。
【００３４】
上記各コンテンツは、コンテンツデータ受信部１５において受信処理が行われる。コンテンツデータ受信部１５は、上記の各種コンテンツについて、それぞれ、アナログチューナ部１２、デジタルアナログチューナ部１４、外部入力部３１、記録／再生部３２、通信制御部３４により、受信処理が行われる。
【００３５】
コンテンツデータ受信部１５により受信処理が行われた各種コンテンツデータは、コンテンツデータを管理するコンテンツデータ管理部１６に入力される。コンテンツデータ管理部１６では、コンテンツデータを、映像データと、音声データと、コンテンツメタデータと、に分離する。映像データは映像処理部１９に、音声データは音声処理部２５に、コンテンツメタデータはコンテンツメタデータ管理部２６に出力される。
【００３６】
全体制御部（ＣＰＵ）６は、映像処理部１９を介して表示の制御を行う表示制御部６ａ、音声処理部２５を介して音声の制御を行う音声制御部６ｂ、コンテンツデータ管理部１６、コンテンツメタデータ管理部２６など全体の制御を行う。実際には、メモリ７の制御用プログラム記憶部７ａ内のプログラムにより制御が行われるようになっている。７ｂは、後述するネットコンテンツ情報蓄積部である。コンテンツメタデータ管理部２６は、コンテンツの種別、コンテンツ制作者などのコンテンツ情報を管理し、コンテンツデータ管理部１６はコンテンツの内容データの入出力などを管理する。
【００３７】
コンテンツデータ管理部１６、コンテンツメタデータ管理部２６の管理のもと、映像処理部１９で処理された映像データは映像出力部２１に、音声処理部２５で処理された音声データは音声出力部３７に、おいて、同期部２０で同期がとられ、それぞれ、映像表示装置（ＬＣＤなど）２２、音声出力部（スピーカ）２８に送られ、出力される。また、リモコン装置３６によりユーザからの指示を受けたリモコン受光部３５により、ＣＰＵ６を介して、種々の操作に関する指示に基づく表示・音声等の制御が行われる。
【００３８】
映像表示装置（ＬＣＤなど）２２は、画面サイズ１６：９（１９２０×１０１０ドット）の液晶表示装置であり、図１に示したコンテンツ視聴装置（テレビ受像機）１０では、液晶表示装置２２によって、スケーリング表示が行われることになる。このテレビ受像機１０は、バスに接続されたＣＰＵ６、メモリ７を有しており、このテレビ受像機１０の動作は、ＣＰＵ６及びメモリ７に記憶された各種の制御プログラムにより制御される。即ち、この図１に示されたテレビ受像機１０では、ＣＰＵ６を含むコンピュータ・システムによって制御されており、テレビ受像機をコンピュータ・システムによって動作させるためのプログラムはメモリ７に記憶されている。なお、既に述べたとおり、画面サイズがアスペクト比１６：９の液晶表示装置に限定されるものではない。
【００３９】
メモリ７は、通常、ＲＡＭによって構成されるが、一部にＲＯＭを含んでいても良い。また、書き換え可能なフラッシュメモリ等を含んでいても良い。メモリ７には、ＣＰＵを動作させるためのＯＳや各種の制御ソフト等が記憶され、放送波を介して受信したＥＰＧデータ等の番組情報に関するデータ、ＯＳＤ表示を行う際に必要となるＯＳＤ用画像データ等が記憶されている。また、メモリ７は、各種制御動作に必要なワークメモリとして働くワーク領域を有している。
【００４０】
テレビ受像機１０には、デジタルチューナー部１４の外に、アナログチューナー部１２が設けられており、アナログ放送も受信可能とされている。また、外部入力部３１には、ＨＤＤ、ＳＤカード等の固体メモリ、ＢＤ（ブルーレイディスク）、ＤＶＤ、ＣＤ等のディスク装置等、種々の外部機器３０が接続可能とされており、更に、テレビ受像機１０の本体内にもＢＤ／ＤＶＤ／ＣＤの記録／再生部３２が内蔵されている。更に、図示しないが、ＩＰ放送チューナー部が備えられており、ＩＰ放送の受信も可能とされている。
【００４１】
アナログチューナー部１２は、アナログ放送受信用のアンテナ１１を介して受信するアナログテレビ放送信号を選局するもので、ＣＰＵ６からの選局指示に応じて選局を行う。アナログチューナー部１２からの受信信号は、ＡＶスイッチにより、音声信号と映像信号とに分離され、映像信号は映像処理部１９に入力され、音声信号は音声処理部２５に入力される。
【００４２】
デジタルチューナー部１４は、デジタル放送受信用アンテナ１３を介して受信するデジタルテレビ放送信号を選局するもので、ＣＰＵ６からの選局指示に応じて受信するチャンネルの選局を行う。デジタルチューナー部１４からの受信信号は、映像処理部１９内のデジタル復調部において復調され、分離部（ＤＭＵＸ）に送られる一般的な構成を有している。
【００４３】
図示していないが、ＩＰ放送チューナー部は、電話回線・ＬＡＮ等に接続された通信制御部３４を介して受信するＩＰ放送を選局するもので、ＣＰＵ６からの選局指示に応じて受信する特定のＩＰ放送を選局し、出力を分離部（ＤＭＵＸ）に送る。
【００４４】
分離部（ＤＭＵＸ）は、デジタル復調部又はＩＰ放送チューナー部から入力された、多重化された映像データ、音声データを分離し、映像データをビデオデコード／キャプチャ部に送り、音声データをオーディオデコード部に送る。さらに、分離部（ＤＭＵＸ）は、放送信号に含まれるＥＰＧデータ等のデータを抽出し、ＥＰＧ／ＯＳＤ／予約処理部に送る。なお、分離部（ＤＭＵＸ）によって抽出された放送波信号は、必要に応じてＣＰＵ６による書き込み制御によりメモリ７に記録される。
【００４５】
ビデオデコード／キャプチャ部は、分離部（ＤＭＵＸ）によって分離された映像データをデコードしたり、映像データに含まれるビデオ情報を静止画としてキャプチャしたりする。前記ビデオデコード／キャプチャ部によってデコードされた映像信号は、ビデオセレクタ部に送られる。ビデオセレクタ部には、既に説明したとおり、アナログチューナー部１２からの映像信号が入力されており、また、外部入力部３１からの映像信号も入力されている。ビデオセレクタ部は、ＣＰＵ６からの制御信号により、これらの入力映像信号から１つの映像信号を選んで出力し、映像処理部１９に送る。
【００４６】
映像処理部１９では、入力された映像信号に対して、例えば、ノイズリダクションの処理、シャープネスの調整、コントラストの調整等の映像処理を行い、映像（液晶）表示装置２２に対して最適な映像信号となるように映像データを変換する。
【００４７】
表示制御部６ａは、受信した映像データを映像（液晶）表示装置２２に表示させるための駆動回路を含む部分であり、加算回路によって加算された、ＥＰＧ／ＯＳＤ／予約処理部からの電子番組表（ＥＰＧ；Electronic Program Guide）データ、或いは、ＯＳＤ（オン・スクリーン・ディスプレイ）データを、映像処理部１９からの映像データに加えて映像（液晶）表示装置２２に送る。映像（液晶）表示装置２２では、送られてきた映像データを画面上に表示する。
【００４８】
上記ＥＰＧ／ＯＳＤ／予約処理部では、更に、本発明に従ったスケーリング表示のための処理を行うが、この点については、後で詳細に説明する。オーディオデコード部は、分離部（ＤＭＵＸ）によって分離された音声データをデコードするものである。オーディオデコード部は、デコードした音声信号をオーディオセレクタ部に送る。
【００４９】
オーディオセレクタ部では、ＡＶスイッチ部からの音声信号、外部入力部からの音声信号、及び、オーディオデコード部からの音声信号を受け、ＣＰＵ６からの制御によってビデオセレクタ部で選択された映像信号に対応した音声信号を選択し、音声出力変換部を介して音声信号を音声出力部３７に送る。音声出力部３７は、受信した音声信号をスピーカ２８での再生に最適な信号に変換してスピーカ２８に供給する。
【００５０】
リモコン受光部３５は、リモートコントローラ３６（以下リモコン装置３６という）からの光信号を受信して、前記リモコン装置３６からの制御信号を受け付けるためのものである。後から説明するスケーリング表示への移行、スケーリング表示時の各種ボタンの選択と決定等、視聴者からの指示は、このリモコン装置３６を介して行われる。
【００５１】
ＥＰＧ／ＯＳＤ／予約処理部は、定期的に更新保存されたＥＰＧデータに基づき電子番組表を作成し、また、メモリ７に予め保存されているＯＳＤデータを描画する。前記のＯＳＤデータとは、例えば、予めメモリ７に記憶された設定メニュー画面、音量ケージ、現在時刻、選局チャンネル等の各種情報を描画するためのデータである。また、ＥＰＧ／ＯＳＤ／予約処理部は、前記の電子番組表を利用して番組の予約処理等を行う。
【００５２】
ＥＰＧ／ＯＳＤ／予約処理部は、更に、ＣＰＵ６と協働して、画面のスケーリング表示を実行する。即ち、スケーリング表示時において、入力映像を映像領域にスケーリング表示すると共に、後述するトップ領域、サイド領域、ボトム領域に表示すべきデータをメモリ７から読出し、これを表示装置の表示画面に描画する。更に、リモコン３６からの入力によって選択された各種の「ボタン」に割り振られた機能を実行し、その結果に基づく表示を司る。
【００５３】
また、通信制御部３４は、電話回線、ＬＡＮ、インターネット等のネットワーク網を介して通信を確立させるように制御を行う。
【００５４】
表示制御部６ａは、番組情報などのコンテンツ情報に基づいて作成される電子番組表（ＥＰＧ）、後述する本実施の形態によるコンテンツリスト表示及びコンテンツリスト表示における操作による各種表示等を制御する。この際、例えば、デジタル放送では、EIT（Event Information Table）、すなわち、番組タイトル、内容、放送時間、その他の属性を記述した情報に基づいて、番組表などに表示する番組情報データを取得する。
【００５５】
図２は、本実施の形態によるコンテンツ視聴装置内で管理されるネットコンテンツリストのデータ構造例を示す図である。図２に示すように、本実施の形態によるコンテンツ視聴装置内で管理されるネットコンテンツリスト５１のデータ構造は、例えば、多数のネットコンテンツ群５５−１〜ｎ（ｎは正の整数）と、そのヘッダとしてネットコンテンツ群５５−１〜ｎのリスト情報５３とを有する構成で管理されている。リスト情報５３は、例えば、それぞれのコンテンツと関係付けされてそのコンテンツの著者５３ａと、更新単位５３ｂと、更新頻度５３ｃと、を含むコンテンツに関する情報（内容ではなく）を有している。更新単位５３ｂは、更新頻度５３ｃと合わせてネットコンテンツリスト５１が更新される間隔を示す。例えば更新単位５３ｂがweeklyで更新頻度が1である場合、ネットコンテンツリスト５１は１週間に一回更新されることを示す。また、更新頻度とは、更新単位での、更新のタイミングであり、例えば１週間に１回などの情報又は、最終更新時刻などの情報を含む。
【００５６】
また、ネットコンテンツ５５−ｎは、それぞれ、タイトル５５ａ、サブタイトル５５ｂ、コンテンツへのリンク（ＵＲＬなど）５５ｃ、拡張情報５５ｄ、（最終）更新時刻５５ｅ、著者５５ｆ、サマリ（要約）５５ｇ、コンテンツを標示するためのアイコンデータへの参照５５ｈなどを含んでいる。この例では、コンテンツ自体は、外部サーバ、記録媒体などに格納されており、リンクによって関連付けられている。
【００５７】
スクリプト５７は、変数宣言５７ａと、データ取得処理５７ｂと、表示処理５７ｃと、ファイルが呼ばれるときに実行されるべき行動の表現であるハンドラを登録するハンドラ登録処理５７ｄと、を有しており、これらの各処理は一般的にはソフトウェアにより実行される処理部となっている。
【００５８】
尚、図２に示すコンテンツリストのデータ構造は、ネットコンテンツリストを示す一般的な構造である。本実施の形態では、ネットコンテンツ以外のコンテンツもこのフォーマットで扱うことにより、ネットコンテンツ以外のコンテンツとネットコンテンツとを統一的に扱うことが可能である。尚、図２は、一つのネットコンテンツについてのデータ構造ではなく、複数のネットコンテンツリスト１〜ｎまでのデータ構造を示すものであり、下記の図３の内容の構造を模式的に示した図である。
【００５９】
図３は、ネットコンテンツリスト（プログラム）の一例を示す図であり、インターネットを介して外部サーバから取得したネットコンテンツリストの一例を示す図である。また、図２に示したネットコンテンツリスト５１の具体的な記述例である。このネットコンテンツリスト６１では、ヘッダ部分にＸＭＬによるタグ形式で、リスト所有者のＵＲＬが記述されている。リスト情報６３には、リスト編集者名６３ａと、リストのＩＤ６３ｄと、更新期間（例えば１時間など）６３ｂと、更新頻度（例えば、（１時間に）２回など）６３ｃと、が記述されている。
【００６０】
その下には、上記リスト情報６３に示されるネットコンテンツ（１〜ｎ）６５−１〜ｎまでの各ネットコンテンツ（ここでは、ネットコンテンツ（１）６５−１）の内容に関する情報が記述されている。ここでは、タイトル６５ａと、サブタイトル６５ｂと、コンテンツのＵＲＬ６５ｃと、コンテンツを取得するためのアクセス先であるＵＲＬのＩＤ６５ｉと、カテゴリ項目として更新に関する情報であることを示す項目６５ｄと、最新の更新時刻６５ｅと、著者情報６５ｆと、コンテンツの内容の要約６５ｇと、コンテンツのタイプ６５ｈ、例えば、どこから取得したどのようなタイプ（動画など）のコンテンツであるかに関する情報が記述され、これらの情報は、図２に示したネットコンテンツ５５−ｎの構成例と対応している。以下に、ネットコンテンツ（２〜ｎ）６５−２〜ｎまでの各ネットコンテンツの情報が順番に記述される。
【００６１】
他の放送コンテンツや媒体からコンテンツを取得する場合には、ネットコンテンツと同様に、放送であれば放送ネットワーク種別、チャネルＩＤ、媒体であればその識別番号などコンテンツを取得するためのアクセス先が必要である。ネットコンテンツへのアクセス先であるＵＲＬ情報を含む上記データ構成をネットコンテンツにも持たせることにより、他の放送コンテンツや媒体から取得したコンテンツと同様に、コンテンツを選択した場合にそのコンテンツへアクセスすることができ、後述するチャネルリストに基づいて、チャネルＩＤやＵＲＬを介してネットコンテンツを含めた各種コンテンツを選択し視聴したりするための操作を統一的に行うことができる。
【００６２】
図４は、図２に示したＪａｖａスクリプトの実際のプログラムの構成例を示す図であり、図２のスクリプト５７の記述例を示す図である。変数宣言６７ａは、データ取得処理のための変数を定義するための部分であり、（xinit，yinit）で示される領域の値（始点、幅、高さなど）や、現在フォーカスが当たっているカテゴリや項目のインデックス、ページ数等を定義する。データ取得処理プログラム６７ｂは、実際のデータ取得処理を実行するためのプログラムの記述例である。例えば、現在視聴している放送の番組情報取得処理を指示したり(depg = DEpg.getContext(10);)、ネットコンテンツリストの取得(net = Net.getContext(‘aq’);)を指示する。表示処理プログラム６７ｃは、コンテンツ一覧をどのように表示するかを記述したプログラムであり、この部分の解析を行って、後述するコンテンツリストを表示させる。具体的には、キー操作に応じてコンテンツリストなどをどのように表示させるか、また、表示画面上におけるコンテンツリストの表示位置、どのようなアイコンで表示するかなどが、符号６７ｃ−１〜３などの記述に基づいて決められる。
【００６３】
例えば、符号６７cに示される、”function drawnetlogos() {...}”の記述は、図７のサービスアイコン１５３を表示させる処理を指示する。記述中、最初にネットコンテンツリストに含まれるネットコンテンツの総数を取得し(“imax = net.getTotalNum();”)、ネットコンテンツが一つ以上含まれれば（”if (imax != 0)”）、表示処理を行なう。表示処理中、ネットコンテンツリストに指定されるアイコンを取得し（”flag = net.isDisplayableImage();”）、もしアイコンが取得できたならば(“if (flag == 1)”)、座標(xValue, yValue)の位置に幅54,高さ54のサイズで取得したサービスアイコン１５３を表示する(“net.displayImage(xValue, yValue, 54, 54);”)。アイコンを取得できない場合( “} else {“)、デフォールトのアイコンを座標(xValue, yValue)の位置に表示する(“depg.displayMiscIcon(‘inet_icon_dummy’, xValue, yValue, 0, 0);”)。表示処理終了後、サービスアイコンの表示y座標を更新し(yValue = yValue + pitch)、次のネットコンテンツを表示対象に設定する(“net.next(); icount = icount + 1;”)。この処理を表示項目数分繰り返し（“while (icount < maxContents)”）、ネットコンテンツリストに含まれるサービスアイコン１５３を全て表示する。
【００６４】
ハンドラ登録処理プログラム６７ｄは、ファイルが呼ばれるときに実行されるべき行動の表現であるハンドラを登録するハンドラ登録処理５７ｄに対応する記述例を示している。例えばctx.addEventListener(‘textinput’, keyEvent, false);の記述によりキー操作がなされた際のハンドラとして関数keyEventを登録している。また、ctx.addEventListener(‘userEvent’, handleUser, false);の記述により、放送コンテンツやネットコンテンツリストが更新された際のハンドラとして関数handleUserを登録している。
【００６５】
このようなＪａｖａスクリプトの記述により、以下に説明するように、コンテンツリストを含むコンテンツに関する表示及び操作を任意に行わせることができるように構成されている。
【００６６】
以下においては、上記コンテンツデータ、プログラムを利用した実際のコンテンツリストの表示、ユーザーインターフェイスによる操作例について詳細に説明する。図５は、コンテンツ視聴装置の表示部２２における表示内容を示す図である。図５に示すように、表示部２２は、リモコン装置３６の操作により、映像領域が表示部２２のほぼ全画面にわたっている一般的な全画面表示２２ａの表示モード（右図側、例えば、ＴＶ画像が表示されている。）と、左図に示すように、映像領域２２ａがスケーリングにより例えばワイド画面の縦横比を保ったままで縮小されることで生成される余白の領域として、例えば、トップ領域２２ｂ、ボトム領域２２ｃ、サイド領域２２ｄが形成され、これらの余白領域に様々な情報を表示させることができる同時メニュー表示モードとの間で遷移させることができる（左図側）。
【００６７】
以下では、サイド領域２２ｄを利用したコンテンツリスト表示技術について具体的に説明する。但し、どの領域にコンテンツリストを表示するかに関しては限定されるものではない。サイド領域２２ｄには、例えばコンテンツのソースのカテゴリ別にコンテンツリストを表示させるための多数のアイコンがＧＵＩとして設けられているソースカテゴリ表示領域７１と、その下の領域において、ソースカテゴリ表示領域７１においてアイコンにより選択された、あるソースカテゴリのコンテンツの一覧（リスト）表示を行うコンテンツリスト一覧表示領域７３（７３−１からｎ）と、が設けられている。
【００６８】
横長に形成されているソースカテゴリ表示領域７１は、例えば、各コンテンツのソース毎のボタンが横方向に並ぶように配置されている。ここでは、ＢＤ（Blu-ray Disk）アイコン７１ａ、入力切り替えアイコン７１ｂ、地上デジタル放送アイコン（地Ｄ）７１ｃ、ＢＳデジタル（衛星）放送アイコン（ＢＳ）７１ｄ、ＣＳデジタル（通信衛星）放送アイコン（ＣＳ）７１ｅ、ネットコンテンツアイコン７１ｆ、などが同列に配置されている。上述のように、ネットコンテンツに関しても、他のコンテンツと同様のデータ構成とすることで、同じように処理を行うことができる。例えば、ＢＤアイコン７１ａが選択されると（梨地のハッチが施されている）、現在、自機のＢＤドライブに挿入されているＢＤ媒体に格納されているコンテンツのリストがコンテンツリスト一覧表示領域７３において列方向に全て一覧表示される。また、その下に示される図のように、ネットアイコン７１ｆが選択されると（ここでは梨地のハッチが施されている）、例えば現在インターネットを介して接続中の外部サーバにおいて選択したインターネットコンテンツのリストがコンテンツリスト一覧表示領域７３において、図２、図３に示すようなデータ構成に基づいて、列方向に一覧表示される。
【００６９】
より詳細にリストの１行内の表示領域７３をみると、１、２などのリストにおける上から数えた順番を示す番号８１と、ＴＢＳなどの放送局を示す画像８３と、例えば、一行目８５−１には放送局が、二行目８５−２にはコンテンツの簡単な情報が表示されるようになっている。
【００７０】
さらに、ある行（ここでは行７３−４）にフォーカスが当たっている状態で青ボタンを押すと、コンテンツリスト一覧表示領域７３に、選択された行のコンテンツの詳細表示がなされる。この詳細表示９１では、選択されたコンテンツに関するコンテンツ番号９１ａと、コンテンツのタイトル９１ｂと、サブタイトル９１ｃと、詳細説明９１ｄとが、図２、図３に示すようなデータ構成に基づいて表示される。
【００７１】
このように、ユーザにおいては、映像領域においてコンテンツを視聴しながら、サイド領域などでコンテンツに関する表示や操作を行うことができるため、非常に便利である。
【００７２】
図６は、放送をコンテンツソースとして選択してコンテンツリストを一覧表示させた場合の一覧表示の画面表示例を示す図である。ここでは、ソースカテゴリ表示領域７１で地Ｄボタン７１ｃが選択され、コンテンツリスト一覧表示領域７３に、地上デジタル放送のコンテンツリストが表示されている場合を例にして説明する。７３−２で示す行には、矢印で例示も示されているような内容が表示される。番号新着表示１０１としては“２”が、局ロゴ１０３としては“ＮＨＫ２”などの放送局のロゴマークが、サービスＩＤ１０５としては“０２１”などのサービスＩＤが、サービス名１０７としては“ＮＨＫ教育”などのサービス名が、番組タイトル１１１としては“ＮＨＫ高校講座  日本史”などのタイトルが表示され、一目でリスト中の各コンテンツの概要が判断できるように最小限の内容が表示されている。ここで、フォーカスがあたっている行の詳細表示をさせるための操作を行うと、右下図に例示され左下図に示されるような放送コンテンツの詳細情報に表示が切り替わる。例えば、この図では、番号１２３として“２”が、局ロゴ１２５として“ＮＨＫ２”が、番組タイトル１３７として“ＮＨＫ高校講座  日本史”が、放送時間１４１として、午後３時３０分から午後４時００分までという時間帯が、詳細情報１４３として映像、音声などの情報や、視聴年齢制限、録画回数制限、コンテンツの内容の詳細などが表示され、操作ガイド１４５として、どのようなボタン操作をすると、どのような処理が行われるかなどのガイドなどを表示させる。これらの情報は、基本的には、放送波において提供されるいわゆる番組情報であり、ＥＰＧなどもこれらの番組情報に基づいて作成される。コンテンツリスト表示時に、コンテンツに視聴中であることを示すマークを付しておくことで、現在視聴中のコンテンツを一目で知らせるようにすると便利である。
【００７３】
図７は、インターネットを介して提供されるネットコンテンツをコンテンツソースとして選択してコンテンツリストを一覧表示させた場合の一覧表示の画面表示例を示す図である。ここでは、ソースカテゴリ表示領域７１においてネットボタン７１ｆが選択され、コンテンツリスト一覧表示領域７３に、インターネットコンテンツのコンテンツリストが表示されている場合を例にして説明する。
【００７４】
符号７３−２で示す行には、矢印で例示も示されているような内容が表示される。番号表示１５１としては“２”が、サービスアイコン１５３としては“Ｙ！”などのインターネットソース（例えば外部サーバなど）のロゴマークが、タイトル１５７としては、 “○ａｈｏｏ！Ｊａｐａｎ  Ｆｏｒ  △ＱＵＯＳ”などのインターネットサイト名が、サブタイトル１６１としては“テレビでも○ａｈｏｏＪａｐａｎ”などのサブタイトルが表示され、一目でリスト中のインターネットコンテンツの概要が判断できるように最小限の内容が表示されている。
【００７５】
ここで、フォーカスがあたっている行の詳細表示をさせるための操作を行うと、右下図に例示され左下図に示されるようなインターネットコンテンツの詳細情報１７１に表示が切り替わる。例えば、この図では、番号１７３として“２”が、局ロゴ１７５として“Ｙ！”が、新着通知１７７として“（ＮＥＷ）更新されています”が表示されて最新のコンテンツであることを知らせる。また、タイトル１８１、サブタイトル１８３も表示される。詳細な表示の一例としては、更新日時１８５、サービス事業者１８７、コンテンツ自体の内容や付随するサービスなどの詳細１９１、操作ガイド１９５として、どのようなボタン操作をすると、どのような処理が行われるかなどのガイドなどを表示させる。これらの情報は、基本的には、図２、図３に示すように、コンテンツに付随して提供されるコンテンツ情報に基づいて、放送と同様の形式で作成することができる。
【００７６】
図８（ａ）は、入力切り替えにより外部機器のＢＤレコーダから提供されるコンテンツをコンテンツソースとして選択してコンテンツリストを一覧表示させた場合の一覧表示の画面表示例を示す図である。デジタル放送受信装置と外部機器との接続は、例えば、ＨＤＭＩ規格による双方向通信ケーブルにより行われるようにすれば良い。その他の接続可能な外部機器としては、光速赤外線通信の規格であるＩＲＳＳに対応する携帯端末やカメラ、レコーダなど、デジタルムービーやゲーム機器、ホームネットワークが家電なども対象となる。
【００７７】
ここでは、ソースカテゴリ表示領域７１においてＢＤ（入力切り替え）ボタン７１ｂが選択され、コンテンツリスト一覧表示領域７３に、外部機器のＢＤコンテンツのコンテンツリストが表示されている場合を例にして説明する。
【００７８】
符号７３−２で示す行には、矢印で例示も示されているような内容が表示される。番号表示２０１としては“２”が、番組タイトル２０３としては、 “大相撲名古屋場所―三日目―”などの番組タイトル名が表示され、その下には、録画日時２０５として、例えば “７／１４（火）１８：００〜  ３０分”というような情報が記載されている。これらの情報は、ＢＤに録画した際にＢＤに記録される情報である。尚、記録元のソースを例えばＢＳなどのように表示するようにしても良い。
【００７９】
図８（ｂ）は、入力切り替えのボタン７１ｂを押した場合における、別のリスト表示例を示す図である。入力アイコン２１１として、例えば２１１ａのように入力２のアイコンが表示され、入力名２１３としては△ＱＵＯＳ  ＢＤレコーダー２１５ａが表示され、入力状態２１５としては、例えば、“切り替えできます”２１５ａなどのような表示がなされる。或いは、符号２１１ｂのように、入力アイコン２１１ｂが不可のマークであり、入力名２１３ｂが入力４、入力状態２１５ｂが“切り換えできません”などのようになっていても良い。このように、外部機器に関する入力切り換えは、機器の種類を可能な限り拡張できるようになっている。従って、家庭内ネットワーク機器に拡張することも可能である。
【００８０】
次に、画面表示のうち、コーション表示の表示例について説明する。図９（ａ）から（ｍ）までは、コーション表示の例を示す図であり、サイド領域２２ｄのリスト表示領域に様々なコーション表示をすることができる。これらのコーション表示には、操作目的に応じた処理自体ができない旨の表示と、現在処理中であるためユーザに待つように知らせるための表示と、に大別される。前者の表示は、ユーザに操作が無効であること、又は、操作を可能にするために外部機器などを接続する必要があることを示し、後者の表示は、ユーザに処理の完了を待つように知らせるための表示である。これらのコーション表示により、ユーザに対して、安心感を与えることができる。
【００８１】
次に、本実施の形態によるコンテンツ管理・表示装置についてより詳細に説明する。本実施の形態によるコンテンツ視聴装置は、インターネットからインターネットコンテンツのリストを取得するためのネットコンテンツ情報取得手段と、テレビジョン受信装置（端末装置）が受信する放送コンテンツリストを取得するための放送コンテンツ情報取得手段と、テレビジョン受信装置（端末装置）に接続できる入力切替（ＨＤＭＩ規格等による接続）コンテンツリストを取得するための入力切替コンテンツ情報取得手段と、蓄積メディア(ＢＤなどの光媒体など、その他)のコンテンツリストを取得するための蓄積メディアコンテンツ情報取得手段と、上記各取得手段の取得内容に基づき、上記のような表示スクリプトを実行して、コンテンツを一覧表示するコンテンツ一覧表示手段と、一覧表示での操作に基づき、コンテンツの再生等の処理を開始するコンテンツ処理選択手段と、を有している。図１０は、上記の各手段をこれらの表示制御部６ａ、コンテンツデータ管理部１６、コンテンツメタデータ管理部２６を含む本実施の形態によるコンテンツ視聴装置のうちコンテンツリスト表示に関する機能で表現した場合の機能ブロック図であり、破線部内の機能部が、図３に示すようなプログラムにより実行されるコンテンツリスト表示に関する処理を行う主要部である。尚、メモリ７中に、スクリプト蓄積手段７ａと、ネットコンテンツ情報蓄積部７ｂとが設けられ、ネットワーク通信部３４ａ、コンテンツ出力手段（２２，２８）、入力手段３６は、図１に示されている機能である。
【００８２】
コンテンツ情報取得部２５１は、放送波から放送コンテンツに関する情報を取得する放送コンテンツ情報取得部（放送コンテンツ情報取得手段）２５１ａと、入力切り替えを行って外部機器からコンテンツを取得する入力切り替えコンテンツ情報取得部（入力切替コンテンツ情報取得手段）２５１ｂと、ＢＤなどの記録媒体からＢＤコンテンツに関する情報を取得するＢＤコンテンツ情報取得部（蓄積メディアコンテンツ情報取得手段）２５１ｃと、ネットコンテンツ情報取得部２５１ｄと、を有している。ネットコンテンツ情報取得部（ネットコンテンツ情報取得手段）２５１ｄは、ネットコンテンツ情報取得制御部２５６の制御により、ネットワーク通信部３４ａを介してネットコンテンツの情報を取得し、取得したネットコンテンツ情報は、ネットコンテンツ情報蓄積部７ｂに蓄積される。この情報を、ネットコンテンツ情報取得部２５１ｄが取得する。コンテンツ情報には、そのコンテンツへのアクセス先である、例えば放送でれば放送局又はチャネルＩＤが、ネットコンテンツであれば外部コンテンツサーバへのＵＲＬが含まれている。ネットコンテンツを一旦、コンテンツ視聴装置のメモリなどに蓄積した場合でも、取得元の外部コンテンツサーバへのＵＲＬ情報を保持しておくことで、例えばネットコンテンツ情報が更新された場合には、メモリなどに蓄積したネットコンテンツ情報も更新することが容易にできる。
【００８３】
以上のようにしてコンテンツ情報取得部２５１において取得されたコンテンツ情報と、視聴状態を取得する視聴状態取得部２５３からの視聴状態とは、スクリプト蓄積手段７ａに蓄積されたスクリプトを用い、コンテンツ情報表示手段（コンテンツ一覧表示手段）２５５においてコンテンツ情報として例えば上記のようにコンテンツリストが表示される。さらに、コンテンツリスト（メニュー表示）を参照しながら、ユーザによる入力手段３６からの入力イベントに応じて、コンテンツ選択手段２５７において選択されたコンテンツが、コンテンツ出力手段（２２，２８）において出力されるようになっている（コンテンツ処理選択手段に相当する）。
【００８４】
図１１は、リモコン装置３６の外観構成例を示す図である。リモコン装置３６は、筐体２６０の表面に多数の操作ボタンが設けられており、電源ボタン２６７、数字・文字入力ボタン２６１、放送切り替えボタン２６２、入力切り替え、インターネット接続、データ連動、音量、選局ボタン２６８、録画リスト表示ボタン、番組表表示ボタン２６３、方向キー２６４、決定キー２６５、機能を割り付け可能な４つのカラーキー２６７、画面表示、ツール、ホームなどのボタン２６６が設けられている。ホームボタン２６６が、上記のようなコンテンツリスト表示モードと全画面視聴モードとの切り替えボタンになっている。方向キー２６４のうち、左右キーで図５のソースカテゴリ表示領域７１のソースカテゴリボタン７１ｎを選択することができ、上下キーで、ソースカテゴリ表示領域７１とコンテンツリスト表示領域７３ｎとの間でカーソルを移動させることができる。決定キーで、選択中のカーソルがあたっている項目を実行することができる。
【００８５】
以上において説明したハードウェア及びソフトウェア構成に基づいて行われる各機能の処理について以下に説明する。
【００８６】
図１２で示す以下の処理では、まず、ネットコンテンツ情報を取得してから、視聴カテゴリを取得し、視聴中のコンテンツ情報を取得するという順序で処理が行われている。ネットコンテンツ情報をはじめに取得するのは、その前に、その他のコンテンツのリスト表示は可能な状態になっていることが前提となっている。
【００８７】
図１２は、初期表示時のスクリプトの動作の流れを示すフローチャート図である。まず、ステップＳ１において、例えば、リモコンのメニューボタン（トップメニュー）を押すと、それをトリガーとして、ステップＳ２において、ネットコンテンツ情報の取得処理が開始される。前述のように、ここでは、ネットコンテンツ情報には、ネットコンテンツサーバへのアクセス先であるＵＲＬ情報がネットコンテンツと対応されるように含まれている。コンテンツの種別（ソースカテゴリ）毎に取得処理がなされる。ステップＳ３において、ソースカテゴリのうちのいずれが選択されたかに関する視聴カテゴリを取得する。ステップＳ４において、視聴中のコンテンツのコンテンツ情報を取得する。ステップＳ４において、視聴状態を取得する。例えば、ＢＳ１を視聴しているなどの情報である。次いで、ステップＳ６において、リスト表示が可能であるか否かを判定し、ＹＥＳ（成功）の場合には、ステップＳ７で、視聴中のコンテンツのリストを表示し、処理を終了する（ステップＳ９）。ステップＳ６でＮｏ（失敗）の場合には、ステップＳ８でその旨のコーション表示（図９（ｈ）参照）を行い、ステップＳ９に進む。このようにして、リスト表示を行わせるための操作を検出した場合には、視聴中のコンテンツに関する情報を取得して、リスト表示が可能であればリスト表示を行う。また、ソースカテゴリの異なるボタンが押されると、そのソースカテゴリのリスト表示を行うための同様な処理が実行される。
【００８８】
尚、ステップＳ１よりも前に、放送コンテンツ、ＢＤコンテンツ、入力切り替えコンテンツなどのその他のコンテンツに関しては、既にリスト表示可能なコンテンツ情報、例えば、放送コンテンツの場合には、図６に示す局ロゴ１０３、サービスＩＤ１０５、サービス名１０７、番組タイトル１１１などを表示できる番組情報を図１０に示す放送コンテンツ情報取得部２５１ａが既に取得しており、メモリに記憶していつでもリスト表示できる状態になっていることが好ましい。これらの情報と、新たに取得したネットコンテンツ情報とを用いて図６、図７のようなリスト表示が可能になっている。
【００８９】
図１３は、ソースカテゴリのリスト表示更新処理の流れを示すフローチャート図である。特に、インターネットコンテンツは頻繁に更新される場合も多い。図１３に示すように、まず処理が開始されると（ステップＳ１１：更新を検出すると自動的に介しされるようにしても良いし、定期的に更新の有無を監視していても良い。）、ステップＳ１２で更新されたコンテンツカテゴリを取得する。例えばネットコンテンツのカテゴリが更新されたものとして説明する。ステップＳ１４において、現在視聴中のコンテンツが、更新されたカテゴリに属するか否かを判定する。属しない場合には（ＮＯ）、更新処理を終了する（ステップＳ１８）。属する場合には（ＹＥＳ）、ステップＳ１５に進み、コンテンツリストを表示することが可能か否かを判定する。表示が可能であれば（ＹＥＳ）、ステップＳ１６に進みリストを表示、ステップＳ１８に進む。リスト表示が不可能な場合には、ステップＳ１７に進みステップＳ１７で、図９（ｋ）に示すようなリスト表示不可のコーション表示を行った後にステップＳ１８に進み、更新処理を終了する。
【００９０】
尚、リスト表示の可能・不可能は、以下のように判断することができる。
リスト表示が不可能な場合には下記のケースがある。下記のケースに該当しないか否かを判断することにより、表示の可能不可能を判定する。
【００９１】
１）リストに表示する項目が１つも存在しない場合、 例えば、アンテナケーブルが未接続で、地上Ｄの番組情報が取れない場合など
上記１）の状態は、コンテンツ情報取得部２５１から取得できるコンテンツ情報数が０か否かにより判定する。
【００９２】
２）端末の禁止条件に依存する場合、例えば、ＢＤの録画中は、ネットコンテンツリストは表示できない等が該当する。この条件は、視聴状態取得部２５３が判定する。
【００９３】
図１４は、本実施の形態による更新をともなう表示処理の流れを示す図であり、図３に示すようなコンテンツの提供を行っているプロバイダ（コンテンツサーバ）の取得を含む処理の流れを示すフローチャート図である。
【００９４】
インターネットコンテンツリストの更新のタイミングとして、まず、コンテンツリストに更新間隔が記述されており、図３に示す記述に従って、定期的に更新したコンテンツリストを取得する。
【００９５】
ここで、電源オンされるとコンテンツリストの取得処理が開始され（ステップＳ２１）、図１０に示すコンテンツ情報取得部２５１内のネットコンテンツ情報取得部２５１ｄが、図３に示されるネットコンテンツリスト６１のヘッダのＵＲＬに記述されているコンテンツサーバにネットコンテンツのリストの送信を要求する（ステップＳ２２）。リストの取得に成功すると（ステップＳ２３でＹＥＳ）ステップＳ２４に進み、リストの取得に失敗すると（ステップＳ２３でＮＯ）ステップＳ３１に進む。
【００９６】
ステップＳ２４においては、ネットコンテンツ情報蓄積部７ｂ内に書き込み、ステップＳ２５において、コンテンツ情報取得部２５１内のネットコンテンツ情報取得部２５１ｄに更新を通知する。これまでの処理により、コンテンツのリスト（文字）が取得される。
【００９７】
次いで、ステップＳ２６において、コンテンツのアイコンをコンテンツサーバに要求し、ステップＳ２７において、コンテンツのアイコンをネットコンテンツ情報蓄積部７ｂ内に書き込み、ステップＳ２８において、コンテンツのアイコンの取得をネットコンテンツ情報取得部２５１ｄに通知する。ステップＳ２９で、取得するべき次のアイコンが存在するか否かを判定し、次のアイコンが存在すれば（ＹＥＳ）ステップＳ２６に戻り、次のアイコンを取得する処理を繰り返す。次のアイコンがなくなると（ステップＳ２９でＮＯ）、ステップＳ３０に進み、次回の取得タイマーを設定し、処理を終了する（ステップＳ３２）。ステップＳ３１に進むと、次回の取得タイマーを現在よりも長めに設定してリストの取得がしやすく設定して、今回の処理は終了する（ステップＳ３２）。このように、コンテンツリストの取得に失敗した場合には、次回の取得間隔の長めに設定することで取得しやすくする。
【００９８】
但し、メニューキーが押されメニュー表示をする際には、次回の取得間隔が伸ばされている場合でも、再度、取得処理を行うようになっている。メニューキーが押されることが優先的な取得開始の条件になっているからである。
【００９９】
また、コンテンツリスト（文字表示）の取得、アイコンの取得の順番にすることで、文字のリストを早めに表示することができる。すなわち、ステップＳ２５において、コンテンツ情報取得部２５１内のネットコンテンツ情報取得部２５１ｄに更新を通知すると、ネットコンテンツ情報取得部２５１ｄからさらにコンテンツ情報表示手段２５５に更新が通知され、まず更新された文字情報が表示される。
【０１００】
その後、ステップＳ２８において、コンテンツのアイコンの取得をネットコンテンツ情報取得部２５１ｄに通知すると、ネットコンテンツ情報取得部２５１ｄからさらにコンテンツ情報表示手段２５５に更新が通知され、取得したアイコンデータが表示される。
【０１０１】
コンテンツメニューを起動し、カテゴリ切り変えを行った場合の表示動作遷移に関して述べる。現在視聴中コンテンツに関して、カレントマークが表示される。同一カテゴリで複数のページがある場合、現在視聴中のコンテンツを含むページが表示される。図１７は、本実施の形態によるコンテンツ視聴装置における表示部のサイド領域２２ｄに表示されるコンテンツメニューであるコンテンツリスト表示をさせた場合の表示操作例を示す図である。コンテンツのソースのカテゴリ別にコンテンツリストを表示させるための多数のボタンがＧＵＩとして設けられているソースカテゴリ表示領域７１と、例えばその下の領域において、ソースカテゴリ表示領域７１において選択された、あるソースカテゴリのコンテンツの一覧（リスト）表示を行うコンテンツリスト一覧表示領域７３（７３−１からｎ）と、が設けられている。
【０１０２】
図１７（ａ）では、コンテンツのソースのカテゴリ別にコンテンツリストを表示させるための多数のボタンがＧＵＩとして設けられているソースカテゴリ表示領域７１と、その下の領域において、ソースカテゴリ表示領域７１において選択された、あるソースカテゴリのコンテンツの一覧（リスト）表示を行うコンテンツリスト一覧表示領域７３（７３−１からｎ）と、が設けられている。コンテンツデータは、図１のコンテンツデータ管理部１６において管理され、コンテンツメタデータは、図１のコンテンツメタデータ管理部２６において管理されている。コンテンツメタデータは、コンテンツに関する情報であり、コンテンツ名、著者名、放送であれば放送局と放送時間帯、番組情報、出演者情報などを含む情報群である。
【０１０３】
この例では、地上デジタル放送（地上Ｄ）ボタン又はタブ３３１ｅにより地上デジタル放送の番組リストが表示されている。地上デジタル放送（地上Ｄ）ボタン又はタブ３３１ｅに付されている現在視聴中カテゴリマーク３３２は、現在視聴中のコンテンツを含むカテゴリであることを表示するマークである。
【０１０４】
尚、現在視聴中カテゴリマーク３３２は、コンテンツメニューでユーザが現在視聴中のコンテンツのカテゴリと異なるカテゴリの情報(リスト表示、詳細表示)を表示している時に、ユーザが現在視聴しているコンテンツのカテゴリがどのカテゴリであるかを示すため、ユーザはその画面でコンテンツのカテゴリを簡単に知ることができ便利である。
【０１０５】
表示されているコンテンツリストとしては、上から順番に、放送局Ａの放送中番組７３−１、放送局Ｂの放送中番組７３−２、放送局Ｃの放送中番組７３−３、放送局Ｄの放送中番組７３−４、…、放送局Ｊの放送中番組７３−ｊが１ページ目に表示されている。また、放送局Ｃの放送中番組７３−３には、現在視聴中番組（コンテンツ）であることを示す現在視聴中マーク７３ａが付されている。同一カテゴリでコンテンツリストが複数のページにわたる場合には、現在視聴中のコンテンツを含むページが表示されるようになっている。従って、コンテンツ視聴装置において、視聴するコンテンツを選択する際に、ユーザは現在視聴中のコンテンツが何か理解しながら選ぶことができ、快適に操作できるという利点がある。尚、現在視聴中マーク７３ａは一例であり、その番組（コンテンツ）が現在視聴中であることを強調表示するなど、視覚的に認識可能な形態で表示するものであれば、その形態を限定するものではない。この点は、現在視聴中カテゴリマーク３３２についても同様である。現在視聴中番組（コンテンツ）等の識別（特定）は、メモリ７内において、コンテンツの識別子などを記憶しておけば良い。
【０１０６】
この現在視聴中マーク７３ａは、カーソルが当たっている番組（ここでは、放送局Ｄの放送中番組７３−４）とは独立に付されているマークであって、このマーク７３ａが付されている番組が、映像領域２２ａに表示されている番組であることが明示される。カーソルが当たっている別番組にカーソルを当ててリモコンの決定ボタンを押すと、その番組が現在視聴中になり、マーク７３ａもその番組に付される。
【０１０７】
また、この表示画面には、次ページマーク３４１が設けられており、あるコンテンツカテゴリ、例えば地上デジタル放送の番組が多い場合に、１ページではリスト表示できないことが多いが、その場合（例えば５頁、１０ページなどのある設定値のページ数を超えた場合）に、複数のページに分けてリスト表示するのが好ましいが、この次ページボタン３４１を押すことにより次ページのリスト表示をさせることができる。さらに次ページには、次ページがあれば次ページボタンが付されるとともに、前ページに戻るためのボタンである前ページボタンが表示される。或いは、ページ番号ボタンを設けておき、所望のページに遷移させることもできる。このように、従来のような、現在視聴中番組がリストの一番上に表示される構成と異なり、リストの構成を保持したまま、現在視聴中番組を知らせることができる。
【０１０８】
次ページボタン３４１を押して次ページを表示させると、他の放送局の番組を知ることができる。しかしながら、現在視聴中の番組に変更がない限り、ページを遷移させても、現在視聴中マーク７３ａや現在視聴中カテゴリマーク３３２は変更されないようになっている。
【０１０９】
また、図１７（ａ）にように放送局Ｄの放送中番組７３−４にカーソルがあたった状態で詳細表示を実行させると（例えば、図１７（ａ）の表示画面において、図示しない詳細情報表示ボタンなどを押すことで、コンテンツの詳細情報が表示される。すなわち、図１７（ｂ）のように、メタ情報管理部に管理されている放送局Ｄの放送中番組７３−４のメタ情報に基づいて表示され、画面表示がリスト表示からコンテンツの詳細情報が表示される詳細表示３０１に切り替わる。詳細表示３０１は、番組名３０３、番組情報３０５，出演者情報３０７などを、現在視聴中番組以外の番組についても知ることができ、その際に、現在視聴中番組の表示を継続したまま他の番組の情報を詳細まで知ることができる。この詳細表示をリスト表示に戻しても、現在視聴中マーク７３ａや現在視聴中カテゴリマーク３３２は変更されないようになっている。すなわち、現在視聴中番組が変更されない限り、リスト構成とマークは変更されない。
【０１１０】
図１８は、本実施の形態によるコンテンツ視聴装置における特徴的な動作を示す状態遷移図である。図１８に示すように通常視聴状態（全画面表示（視聴）、すなわち、表示部の全画面でコンテンツを視聴する状態）２２ｘと、コンテンツメニュー起動状態（すなわち、コンテンツ表示画面をスケーリングして空いた領域にコンテンツメニューを表示する状態）２２ｙとの間で、リモコン操作などにより表示が切り替わる（遷移する）。例えば、リモコン装置のホームボタン２６６を押すと、通常視聴２２ｘからコンテンツメニュー起動状態２２ｙに切り替わる。但し、コンテンツ表示画面をスケーリングすることで生成された空いた領域にコンテンツメニューを表示するため、コンテンツの視聴自体は中断されない。また、コンテンツメニュー起動状態２２ｙにおいて、カーソル位置にあるコンテンツを選択して決定すると、コンテンツメニュー起動状態２２ｙから通常視聴２２ｘに遷移する。
【０１１１】
コンテンツメニュー起動状態２２ｙにおいては、主として４つの状態間を遷移する。第１の状態３１１は、視聴中カテゴリの視聴中コンテンツを含むコンテンツリストを画面表示している状態である（図１７（ａ）の状態である）。第２の状態３１３は、視聴中カテゴリ内で視聴中コンテンツを含まないコンテンツリストを画面表示している状態である（図１７（ａ）の状態で、現在視聴中マーク７３ａがリスト表示されているコンテンツには付されていないが現在視聴中カテゴリマーク３３２が付されていうるカテゴリが選択されている状態である）。第３の状態３１５は、視聴中以外のカテゴリのコンテンツリストを画面表示している状態である（図１７（ａ）の状態で、現在視聴中カテゴリマーク３３２が付されていないカテゴリが選択されている状態である）。第４の状態３１７は、カーソルの位置のコンテンツ情報を表示している状態である（図１７（ｂ）の状態である）。
【０１１２】
第１の状態３１１では、カーソル位置を変更しても、第１の状態３１１は保持される。次ページボタン３４１が押されると、ページ切換操作が行われ、第２の状態に遷移する。第２の状態３１３でも、カーソル位置を変更しても、第２の状態３１３は保持される。前ページボタン（戻るボタンなど）が押されると、ページ切換操作が行われ、第１の状態に戻る。尚、「カーソルが一番下にある状態で、カーソルを下に移動する操作が行われたとき。」(前のページに戻る場合は、「カーソルが一番上にある状態で、カーソルに移動する操作が行われたとき。」)に、すなわち、カーソルの順次の移動操作などによってもページ切換処理を行うことができる。
【０１１３】
第２の状態３１３と第４の状態３１７間では、第２の状態３１３でコンテンツ情報表示操作を行うと第４の状態３１７に遷移し、前画面に戻る操作を行うと、第４の状態３１７から第２の状態３１３に戻る。第４の状態３１７で、コンテンツ情報が表示されている状態からコンテンツを選択すると、コンテンツ情報が表示されているコンテンツが選択され、通常視聴２２ｘに戻る。
【０１１４】
第３の状態３１５と第４の状態３１７間では、第３の状態３１５でコンテンツ情報表示操作を行うと第４の状態３１７に遷移し、前画面に戻る操作を行うと、第４の状態３１７から第３の状態３１５に戻る。第３の状態３１５において、カーソル位置変更操作、カテゴリ切換操作を行っても、第３の状態が維持される。第３の状態３１５と第１の状態３１１間では、第３の状態３１５でカテゴリ切換操作を行うと第１の状態３１１に遷移し、第１の状態３１１でカテゴリ切換操作を行うと第３の状態３１５に遷移する。
【０１１５】
さらに、第１の状態３１１と第４の状態３１７間では、第１の状態３１１でコンテンツ情報表示操作を行うと第４の状態３１７に遷移し、前画面に戻る操作を行うと、第４の状態３１７から第１の状態３１１に戻る。
【０１１６】
また、第２の状態２）から第３の状態３）には、カテゴリ切換操作により遷移する。第３の状態３）から第２の状態２）に逆方向に遷移する場合には、第１の状態１）を介して遷移する。すなわち、第３の状態３）から第２の状態２）には、直接遷移することはない。
【０１１７】
以下に、上記図１８に関する特徴的な項目をまとめて挙げる。
１）まず、「カテゴリ間の移動する際において、現在視聴中のコンテンツのカテゴリに遷移する時は、現在視聴中のコンテンツを含むページを表示する」点である。この点は、第３の状態３）から第２の状態２）に遷移する場合には、第１の状態１）を介してのみ遷移することができる点に対応する。つまり、現在視聴中のカテゴリ以外のカテゴリのリスト表示画面から、視聴中カテゴリの視聴中コンテンツのリスト表示を含まないコンテンツリスト表示画面には遷移しない。換言すれば、「カテゴリ間の移動する際において、現在視聴中のコンテンツのカテゴリに遷移する時は、現在視聴中のコンテンツを含むページを表示する」ことである。
【０１１８】
２）第４の状態４）から第１から第３までの状態１）から３）のいずれかに遷移する場合には、図１８に示す「前画面に」のように、元の画面にのみ戻る。第４の状態４）の詳細情報表示と現在視聴中のコンテンツを含むリスト表示画面とは特別に関連付けられていない(図１８において、第４の状態４)からは、第１から第３までの１）から３）までの全てとの間で遷移することが可能であるが、遷移元の画面に戻るようになっている。
【０１１９】
図１９は、カテゴリ切換操作の処理の流れを示すフローチャート図である。ステップＳ１でカテゴリ切換操作が行われると、ステップＳ２において現在視聴中のコンテンツを含むカテゴリへの移動であるか否かが判定される。ＹＥＳの場合には、ステップＳ３に進み、現在視聴中のコンテンツを含むページを表示する。ＮＯの場合には、ステップＳ４に進み、当該カテゴリにおいて最後に表示したページを表示させる。このように、視聴中以外のカテゴリにおけるカテゴリ切換操作は、切換前のページをメモリに記憶しておき、この記憶を参照して、次回表示する際は、そのページを表示するようにする。
【０１２０】
以上に説明したように、本実施の形態によるコンテンツ視聴装置によれば、テレビジョンなどの端末装置で利用できるコンテンツを、インターネットコンテンツも含めて表示し、統一的な操作により選択できるようにすることができる。また、その時点で視聴できるコンテンツを把握し選択することが容易になるという利点がある。また、番組等のコンテンツを視聴しながら番組表（コンテンツリスト）を使用する場合、ユーザは、現在視聴している番組（コンテンツ）がどれであるかを番組表（コンテンツリスト）を見ながら知ることができ、また、ページを遷移させたり戻したりする場合においても、違和感のないページ表示を維持させることで、視聴するコンテンツを選択したりコンテンツの操作を行う際に役立てることができる。
【０１２１】
次に、本発明の第２の実施の形態によるコンテンツ視聴装置について図面を参照しながら説明を行う。図１５は、本発明の第２の実施の形態によるコンテンツ視聴装置におけるリスト表示のメニューを示す図であり、第１の実施の形態によるコンテンツ視聴装置において上記に説明した処理を行う上で、コンテンツソースに依存せずに横断的にカテゴリを切り替えてリスト表示することができるように、コンテンツカテゴリ表示領域７１に、各コンテンツ選択ボタン７１ａから７１ｆに加えて、おすすめコンテンツの推奨リストを表示させるボタン７１ｘが設けられている。おすすめ（推奨）ボタン７１ｘを設けておき、これが押されると、符号８３に示すリスト表示のように、行７３−１では放送コンテンツ（番号８１ａ、アイコン８３ａ、文字８５ａ及びコンテンツカテゴリアイコン８６ａ）、行７３−２ではネットコンテンツ（番号８１ｂ、アイコン８３ｂ、文字８５ｂ及びコンテンツカテゴリアイコン８６ｂ）、行７３−３では他の放送コンテンツ（番号８１ｃ、文字８５ｃ、コンテンツカテゴリアイコン８６ｃ）というように、異なるソースカテゴリからの推奨コンテンツを一覧表示させることもできる。コンテンツカテゴリアイコンにより、異なるコンテンツソースからのコンテンツを含むリストにおいてコンテンツソースを明確にすることができる。
【０１２２】
図１６は、本実施の形態によるコンテンツ視聴装置における機能ブロック図であり、図１０に対応する図である。図１０の構成に加えて、コンテンツ選別手段２５９が設けられている点が異なる。尚、この場合の、推奨コンテンツの選択アルゴリズムは、ユーザ嗜好、などに基づく周知の方法を用いることができ、アルゴリズムは限定されるものではないが、コンテンツの選別項目としては、例えば、１）キーワードによるフィルタリング、２）コンテンツの題名などから判定する内容カテゴリによるフィルタリング、３）放送時間帯によるフィルタリング、４）ユーザ設定によるフィルタリング、例えば、ネットコンテンツと地上デジタルのみを選択などのフィルタリングなどが挙げられる。
【０１２３】
このように、本実施の形態によるコンテンツ視聴装置によれば、コンテンツソースカテゴリに依存せずに横断的なリスト表示をすることが可能である。
【０１２４】
以上に説明したように、本発明の各実施の形態によれば、コンテンツ視聴装置において利用できる、インターネットコンテンツも含む多数のコンテンツソースからのコンテンツを一覧表示し、統一的な操作により所望の視聴対象コンテンツを選択できる。従って、その時点で視聴できるコンテンツを把握し選択する操作を容易に行えるという利点がある。
【０１２５】
本発明によるコンテンツ視聴装置及びコンテンツ表示装置は、携帯無線機などの携帯端末装置に適用することもできるし、ＰＣなどに付属するテレビ機能に適用することも可能である。
【０１２６】
本発明による装置で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０１２７】
また、図１等の各構成の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【０１２８】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【０１２９】
以上、この発明の実施形態について図面を参照して詳述してきたが、具体的な構成はこの実施の形態に限られるものではなく、この発明の要旨を逸脱しない範囲の設計変更等された発明も含まれる。
【産業上の利用可能性】
【０１３０】
本発明は、コンテンツ視聴装置に利用可能である。
【符号の説明】
【０１３１】
６…全体制御部（ＣＰＵ）、６ａ…表示制御部、６ｂ…音声制御部、７…メモリ、７ａ…制御用プログラム記憶部（スクリプト蓄積手段）、７ｂ…ネットコンテンツ情報蓄積部、１０…コンテンツ視聴装置、１１…アナログ放送用アンテナ、１２…アナログチューナ部、１３…デジタル放送用アンテナ、１４…デジタルアナログチューナ部、１５…コンテンツデータ受信部、１６…コンテンツデータ管理部、１９…映像処理部、２０…同期部、２１…映像出力部（ディスプレイ：コンテンツ出力手段）、２５…音声処理部、２６…コンテンツメタデータ管理部、２８…音声出力部（スピーカ：コンテンツ出力手段）、３０…外部機器、３１…外部入力部、３２…記録／再生部、３４…通信制御部、３４ａ…ネットワーク通信部、３５…リモコン受光部、３６…入力手段、４１…インターネット、４３…外部サーバ、７１…ソースカテゴリ表示領域、７３…コンテンツリスト一覧表示領域、７３ａ…現在視聴中マーク、２５１…コンテンツ情報取得部、２５１ａ…放送コンテンツ情報取得部（放送コンテンツ情報取得手段）、２５１ｂ…入力切り替えコンテンツ情報取得部（入力切替コンテンツ情報取得手段）、２５１ｃ…ＢＤコンテンツ情報取得部（蓄積メディアコンテンツ情報取得手段）、２５１ｄ…ネットコンテンツ情報取得部（ネットコンテンツ情報取得手段）、２５６…ネットコンテンツ情報取得制御部、３３１ｃ…コンテンツボタン又はタブ、３３２…現在視聴中カテゴリマーク、２４１…次ページボタン、３０１…コンテンツ情報表示画面、３０５…番組情報、３０７…出演者情報。
【図１】
2011035852.tif 000003
【図２】
2011035852.tif 000004
【図３】
2011035852.tif 000005
【図４】
2011035852.tif 000006
【図５】
2011035852.tif 000007
【図６】
2011035852.tif 000008
【図７】
2011035852.tif 000009
【図８】
2011035852.tif 000010
【図９】
2011035852.tif 000011
【図１０】
2011035852.tif 000012
【図１１】
2011035852.tif 000013
【図１２】
2011035852.tif 000014
【図１３】
2011035852.tif 000015
【図１４】
2011035852.tif 000016
【図１５】
2011035852.tif 000017
【図１６】
2011035852.tif 000018
【図１７】
2011035852.tif 000019
【図１８】
2011035852.tif 000020
【図１９】
2011035852.tif 000021
【手続補正書】
【提出日】平成22年10月27日(2010.10.27)
【手続補正１】
【補正対象書類名】特許請求の範囲
【補正対象項目名】全文
【補正方法】変更
【補正の内容】
【特許請求の範囲】
【請求項１】
コンテンツを視聴するコンテンツ視聴装置においてコンテンツ情報を取得するコンテンツ情報取得部と、前記コンテンツ情報取得部において取得した前記コンテンツ情報に基づいて、コンテンツ表示部にコンテンツリストを１又は複数のページで切り替えて表示する制御を行うコンテンツ情報表示制御部と、を有するコンテンツ視聴装置において、
前記コンテンツ情報表示制御部は、前記コンテンツリストの表示の指示を受けると、前記コンテンツリストが複数のページにわたる場合に、当該複数のページのうちの、前記コンテンツリストの表示における現在視聴中のコンテンツの項目が含まれるページを表示する制御を行うことを特徴とするコンテンツ視聴装置。
【請求項２】
コンテンツを視聴するコンテンツ視聴装置において視聴可能なコンテンツの種別であるコンテンツカテゴリ毎にコンテンツ情報を取得するカテゴリ別のコンテンツ情報取得部と、前記カテゴリ別のコンテンツ情報取得部において取得した前記コンテンツカテゴリ毎のコンテンツ情報に基づいて、前記コンテンツカテゴリ毎にコンテンツ表示部にコンテンツリストを１又は複数のページで切り替えて表示する制御を行うコンテンツ情報表示制御部と、を有するコンテンツ視聴装置において、
前記コンテンツ情報表示制御部は、前記コンテンツリストの表示の指示を受けると、現在視聴中のコンテンツのカテゴリの前記コンテンツリストが複数のページにわたる場合に、当該複数のページのうちの、前記コンテンツリストの表示における現在視聴中のコンテンツが含まれるページを表示する制御を行うことを特徴とするコンテンツ視聴装置。
【請求項３】
前記コンテンツリスト表示のうちの現在視聴中のコンテンツの項目に、現在視聴中マークを表示させることを特徴とする請求項１又は２に記載のコンテンツ視聴装置。
【請求項４】
前記コンテンツ情報表示制御部は、前記表示部の視聴領域をスケーリングすることで形成された空き領域に前記コンテンツリストを表示させ、全画面表示との間で切り替え可能であり、前記コンテンツリスト表示においてカーソルがあてられているコンテンツが、前記全画面表示への切り替え時に表示されることを特徴とする請求項１から３までのいずれか１項に記載のコンテンツ視聴装置。
【請求項５】
コンテンツを視聴するコンテンツ視聴装置において視聴可能なコンテンツの種別であるコンテンツカテゴリ毎にコンテンツ情報を取得するカテゴリ別のコンテンツ情報取得部と、前記カテゴリ別のコンテンツ情報取得部において取得した前記コンテンツカテゴリ毎のコンテンツ情報に基づいて、前記コンテンツカテゴリ毎にコンテンツ表示部にコンテンツリストを表示する制御を行うコンテンツ情報表示制御部と、を有するコンテンツ視聴装置において、
コンテンツ情報表示制御部は、コンテンツカテゴリ別にリスト表示を行うためのコンテンツカテゴリボタンと、前記コンテンツカテゴリボタンに対応付けされたコンテンツカテゴリの前記コンテンツリストの表示と、を行い、現在視聴中のコンテンツに対応するカテゴリの前記コンテンツカテゴリボタンに、視覚的に認識可能な形態で現在視聴中コンテンツのカテゴリである旨の現在視聴中コンテンツカテゴリ表示をすることを特徴とするコンテンツ視聴装置。
【請求項６】
前記コンテンツリスト表示のうちの現在視聴中のコンテンツの項目に、現在視聴中マークを表示させることを特徴とする請求項５に記載のコンテンツ視聴装置。
【請求項７】
前記コンテンツ情報表示制御部は、前記表示部の視聴領域をスケーリングすることで形成された空き領域に前記コンテンツリストを表示させ、全画面表示との間で切り替え可能であり、前記コンテンツリスト表示においてカーソルが当てられているコンテンツが、前記全画面表示への切り替え時に表示されることを特徴とする請求項５又は６に記載のコンテンツ視聴装置。
【請求項８】
前記コンテンツカテゴリは、コンテンツを取得するソースであるコンテンツソースと対応していることを特徴とする請求項５から７までのいずれか１項に記載のコンテンツ視聴装置。
【請求項９】
前記コンテンツソースは、光ディスク媒体、放送、外部機器の入力切り替えを含むソースであることを特徴とする請求項８に記載のコンテンツ視聴装置。
【請求項１０】
前記コンテンツ情報取得部は、前記コンテンツ視聴装置から取得したコンテンツ群のそれぞれのコンテンツの取得元を特定するとともに、インターネット経由で取得したネットコンテンツのネットコンテンツサーバのＵＲＬを特定するコンテンツ情報を取得し、
前記コンテンツ情報表示制御部は、前記コンテンツ情報に含まれるコンテンツの取得元と、前記ＵＲＬにより特定されるネットコンテンツのソースとを、統合して１つのメニューに表示させる制御を行うことを特徴とする請求項２から９までのいずれか１項に記載のコンテンツ視聴装置。
【請求項１１】
コンテンツを視聴するコンテンツ視聴装置においてコンテンツ情報を取得するコンテンツ情報取得部と、前記コンテンツ情報取得部において取得した前記コンテンツ情報に基づいて、前記コンテンツカテゴリ毎にコンテンツ表示部にコンテンツリストを１又は複数のページで切り替えて表示する制御を行うコンテンツ情報表示制御部と、を有するコンテンツ視聴装置において、
前記コンテンツ情報表示制御部は、前記コンテンツリストの表示の指示を受けると、前記コンテンツリストが複数のページにわたる場合に、当該複数のページのうちの、前記コンテンツリストの表示における現在視聴中のコンテンツの項目が含まれるページを表示する制御を行い、
前記コンテンツリスト中から選択されたコンテンツ項目に関する詳細情報を表示する詳細情報表示ページに遷移させた後に前記コンテンツリスト表示に戻す操作を行うと、前記コンテンツリストの前記現在視聴中コンテンツの項目が含まれるページに戻るように制御を行うことを特徴とするコンテンツ視聴装置。
【請求項１２】
コンテンツを視聴するコンテンツ視聴装置においてコンテンツ情報を取得するコンテンツ情報取得部と、前記コンテンツ情報取得部において取得した前記コンテンツ情報に基づいて、前記コンテンツカテゴリ毎にコンテンツ表示部にコンテンツリストを１又は複数のページで切り替えて表示する制御を行うコンテンツ情報表示制御部と、を有するコンテンツ視聴装置において、
前記コンテンツ情報表示制御部は、前記コンテンツリストの表示の指示を受けると、前記コンテンツリストが複数のページにわたる場合に、当該複数のページのうちの、前記コンテンツリストの表示における現在視聴中のコンテンツの項目が含まれるページを表示する制御を行い、カテゴリ間の移動をする際において、現在視聴中のコンテンツの項目を含むカテゴリに遷移する時は、現在視聴中のコンテンツの項目を含むページを表示するように制御することを特徴とするコンテンツ視聴装置。
【請求項１３】
コンテンツを視聴するコンテンツ視聴装置においてコンテンツ情報を取得するコンテンツ情報取得部と、前記コンテンツ情報取得部において取得した前記コンテンツ情報に基づいて、前記コンテンツカテゴリ毎にコンテンツ表示部にコンテンツリストを１又は複数のページで切り替えて表示する制御を行うコンテンツ情報表示制御部と、を有するコンテンツ視聴装置において、
前記コンテンツ情報表示制御部は、前記コンテンツリストの表示の指示を受けると、前記コンテンツリストが複数のページにわたる場合に、当該複数のページのうちの、前記コンテンツリストの表示における現在視聴中のコンテンツの項目が含まれるページを表示する制御を行い、現在視聴中のカテゴリ以外のカテゴリのリスト表示画面から、視聴中カテゴリの視聴中コンテンツの項目を含まないコンテンツリスト表示画面には遷移しないように制御することを特徴とするコンテンツ視聴装置。
【請求項１４】
コンテンツを視聴するコンテンツ視聴装置においてコンテンツ情報を取得するコンテンツ情報取得部と、前記コンテンツ情報取得部において取得した前記コンテンツ情報に基づいて、前記コンテンツカテゴリ毎にコンテンツ表示部にコンテンツリストを１又は複数のページで切り替えて表示する制御を行うコンテンツ情報表示制御部と、を有するコンテンツ視聴装置において、
前記コンテンツ情報表示制御部は、前記コンテンツリストの表示の指示を受けると、前記コンテンツリストが複数のページにわたる場合に、当該複数のページのうちの、前記コンテンツリストの表示における現在視聴中のコンテンツの項目が含まれるページを表示する制御を行い、コンテンツのカテゴリ間の移動をする際において、現在視聴中のコンテンツの項目を含むカテゴリに遷移する時は、現在視聴中のコンテンツの項目を含むページを表示する制御することを特徴とするコンテンツ視聴装置。
【請求項１５】
コンテンツを視聴するコンテンツ視聴装置においてコンテンツ情報を取得するコンテンツ情報取得ステップと、前記コンテンツ情報取得ステップにおいて取得した前記コンテンツ情報に基づいて、前記コンテンツカテゴリ毎にコンテンツ表示部にコンテンツリストを表示する制御を行うコンテンツ情報表示制御ステップと、を有するコンテンツリスト表示方法において、
前記コンテンツ情報表示制御ステップは、前記コンテンツリストの表示の指示を受けると、前記コンテンツリストが複数のページにわたる場合に、当該複数のページのうちの、前記コンテンツリストの表示における現在視聴中のコンテンツが含まれるページを表示する制御を行うことを特徴とするコンテンツリスト表示方法。
【請求項１６】
コンテンツを視聴するコンテンツ視聴装置において視聴可能なコンテンツの種別であるコンテンツカテゴリ毎にコンテンツ情報を取得するコンテンツ情報取得ステップと、前記コンテンツ情報取得ステップにおいて取得した前記コンテンツカテゴリ毎のコンテンツ情報に基づいて、コンテンツ表示部にコンテンツリストを１又は複数のページで切り替えて表示する制御を行うコンテンツ情報表示制御ステップと、を有するコンテンツリスト表示方法において、
前記コンテンツ情報表示制御ステップは、前記コンテンツリストの表示の指示を受けると、前記コンテンツリストが複数のページにわたる場合に、前記複数のページのうちの、前記コンテンツリストの表示における現在視聴中のコンテンツが含まれるページを表示する制御を行うことを特徴とするコンテンツリスト表示方法。
【請求項１７】
コンテンツを視聴するコンテンツ視聴装置において視聴可能なコンテンツの種別であるコンテンツカテゴリ毎にコンテンツ情報を取得するコンテンツ情報取得ステップと、前記コンテンツ情報取得ステップにおいて取得した前記コンテンツカテゴリ毎のコンテンツ情報に基づいて、前記コンテンツカテゴリ毎にコンテンツ表示部にコンテンツリストを１又は複数のページで切り替えて表示する制御を行うコンテンツ情報表示制御ステップと、を有するコンテンツリスト表示方法において、
前記コンテンツ情報表示制御ステップは、前記コンテンツリストの表示の指示を受けると、現在視聴中のコンテンツのカテゴリの前記コンテンツリストが複数のページにわたる場合に、当該複数のページのうちの、前記コンテンツリストの表示における現在視聴中のコンテンツが含まれるページを表示する制御を行うことを特徴とするコンテンツリスト表示方法。
【請求項１８】
請求項１５から１７までのいずれか１項に記載のコンテンツリスト表示方法をコンピュータに実行させるためのプログラム。
【請求項１９】
請求項１８に記載のプログラムを記録したコンピュータ読みとり可能な記録媒体。